(57)【要約】一般的に知られている信号、波形、状態、機能などに対して意図的に行われる様々なタイプのあらゆる修正を生成または提供する方法および装置が提供される。修正は、オリジナルの信号、波形、状態、機能などと修正された信号、波形、状態、機能などとの間の違いを示すコンテンツ制御命令を提供するために感知、読取、検出または解釈される。コンテンツ制御命令は、コンテンツ制御システムのためのコンテンツ制御を提供するために用いられてもよく、これは選択された準拠デバイスの制御を提供し得る。【選択図】図３
2010526483.tif 000002
【特許請求の範囲】
【請求項１】
コピー防止信号、データ信号、オーディオ信号またはビデオ信号が与えられて、コンテンツ制御システムのためのコンテンツ制御を提供する方法であって、
前記与えられた信号とは異なる修正された信号を提供する手法で前記与えられた信号を修正することと、
前記修正された信号と前記与えられた信号との間の違いを示すコンテンツ制御命令を提供することとを含み、
前記コンテンツ制御命令は前記コンテンツ制御システムのための前記コンテンツ制御を提供する、方法。
【請求項２】
前記コンテンツ制御命令は、準拠デバイスの状態または機能を制御するために用いられる、請求項１に記載の方法。
【請求項３】
コピー防止信号、データ信号、オーディオ信号またはビデオ信号が与えられて、コンテンツ制御システムのためのコンテンツ制御を提供する装置であって、
前記与えられた信号とは異なる修正された信号を提供する手法で前記与えられた信号を修正する修正回路と、
前記修正された信号と前記与えられた信号との間の違いを示すコンテンツ制御命令を提供する前記修正回路に応答する読取器、センサまたは検出回路とを含み、
前記コンテンツ制御命令は前記コンテンツ制御システムのための前記コンテンツ制御を提供する、装置。
【請求項４】
前記コンテンツ制御命令は、準拠デバイスの状態または機能を制御するために用いられる、請求項３に記載の装置。
【請求項５】
コンテンツ制御システムのためのコンテンツ制御を提供する方法であって、
コピー防止信号、データ信号、オーディオ信号またはビデオ信号を提供することと、
前記提供された信号とは異なる修正された信号を生成するために前記提供された信号の振幅、幅、位置、持続時間、タイミング、位相、周波数、数または組み合わせを修正することと、
前記コンテンツ制御システムのための前記コンテンツ制御を提供するために前記修正された信号における違いを読取、感知または検出することと
を含む、方法。
【請求項６】
コピー防止信号、データ信号、オーディオ信号またはビデオ信号が与えられて、コンテンツ制御命令を提供する方法であって、前記コンテンツ制御命令はコンテンツ制御システムを制御するために用いられ、前記方法は、
前記与えられた信号とは異なる修正された信号を提供するために前記与えられた信号の特性、パラメータ、状態または仕様を修正することと、
前記コンテンツ制御システムにおける使用のための前記コンテンツ制御命令を提供するために前記修正された信号と前記与えられた信号との間の違いを読取、感知または検出することと
を含む、方法。
【請求項７】
コピー防止信号、データ信号、オーディオ信号またはビデオ信号が与えられて、コンテンツ制御命令を提供する装置であって、前記コンテンツ制御命令はコンテンツ制御システムを制御するために用いられ、前記装置は、
前記与えられた信号とは異なる修正された信号を提供するために前記与えられた信号の特性、パラメータ、状態または仕様を修正する回路と、
前記コンテンツ制御システムにおける使用のための前記コンテンツ制御命令を提供するために前記修正された信号と前記与えられた信号との間の違いを読取、感知または検出する回路と
を含む、装置。
【請求項８】
コンテンツ制御システムのための制御命令を提供する装置であって、
１つ以上の水平帰線消去期間に狭められた同期パルスを含むビデオ信号を提供する回路と、
狭められた同期パルスのうちの１つ以上を読取、感知または検出する回路と、
１つ以上の狭められた同期パルスが存在していることを示す信号として前記制御命令を提供する回路と
を含む、装置。
【請求項９】
コンテンツ制御システムのための制御命令を提供する方法であって、
１つ以上の水平帰線消去期間に狭められた同期パルスを含むビデオ信号を提供することと、
前記狭められた同期パルスのうちの１つ以上を読取、感知または検出することと、
前記１つ以上の狭められた同期パルスが存在していることを示す信号として前記制御命令を提供することと
を含む、方法。
【請求項１０】
コンテンツ制御システムのための制御命令を提供する装置であって、
自動利得制御（ＡＧＣ）パルスをビデオ信号に提供する回路であって、一組のＡＧＣパルスは別の組のＡＧＣパルスより狭い、回路と、
前記狭められたＡＧＣパルスの存在を示し、かつ前記制御命令に対応する出力信号を提供する回路と
を含む、装置。
【請求項１１】
コンテンツ制御システムのための制御命令を提供する方法であって、
自動利得制御（ＡＧＣ）パルスをビデオ信号に提供することであって、一組のＡＧＣパルスは別の組のＡＧＣパルスより狭い、ことと、
前記狭められたＡＧＣパルスの存在を示すことと、
前記制御命令に対応し、かつ前記狭められたＡＧＣパルスの前記存在を示す出力信号を提供することと
を含む、方法。
【請求項１２】
コンテンツ制御システムのための制御命令を提供する装置であって、
２つ以上の負方向パルスを水平帰線消去期間（ＨＢＩ）に提供する回路と、
前記２つ以上の負方向パルスを読取、感知または検出する回路と、
前記感知された２つ以上の負方向パルスの存在に応答して前記制御命令を提供する回路と
を含む、装置。
【請求項１３】
コンテンツ制御システムのための制御命令を提供する方法であって、
２つ以上の負方向パルスを水平帰線消去期間（ＨＢＩ）に提供することと、
前記２つ以上の負方向パルスを感知、読取または検出することと、
前記感知された２つ以上の負方向パルスの存在に応答して前記制御命令を提供することと
を含む、方法。
【請求項１４】
コンテンツ制御システムのための制御命令を提供する装置であって、
垂直同期信号期間中に多重パルスを提供する回路と、
前記多重パルスを読取、感知または検出する回路と、
前記垂直同期信号における期間または垂直同期パルス期間内の前記多重パルスの存在を示す前記制御命令を提供する回路と
を含む、装置。
【請求項１５】
コンテンツ制御システムのための制御命令を提供する方法であって、
垂直同期信号期間中に多重パルスを提供することと、
前記多重パルスを読取、感知または検出することと、
前記垂直同期信号期間内の前記多重パルスの存在を示す前記制御命令を提供することと
を含む、方法。
【請求項１６】
コンテンツ制御システムのための制御命令を提供する装置であって、
垂直同期信号期間に１つ以上の擬似同期パルスを提供する回路と、
前記垂直同期信号期間内の多重擬似同期パルスを読取、感知または検出する同期分離器と、
前記垂直同期信号期間における前記多重擬似同期パルスの存在を示す信号を出力する回路と
を含む、装置。
【請求項１７】
コンテンツ制御システムのための制御命令を提供する方法であって、
垂直同期信号期間に１つ以上の擬似同期パルスを提供することと、
前記垂直同期信号内の多重擬似同期パルスを読取、感知または検出することと、
前記垂直同期信号期間における前記多重擬似同期パルスの存在を示す信号を出力することと
を含む、方法。
【請求項１８】
コンテンツ制御システムのための制御命令を提供する装置であって、
ビデオ信号に修正を提供する回路であって、前記修正は、狭められた同期パルス、低下されたバックポーチエリア、低下されたフロントポーチエリア、持続時間における拡張のカラーバースト、持続時間が狭められたカラーバースト、狭められた同期パルスの後の狭められた正方向パルスおよび／または切り込み垂直同期パルスを含む、回路と、
前記ビデオ信号に対する前記修正を読取、感知または検出する回路と、
前記修正されたビデオ信号の存在を示す信号として前記制御命令を提供する回路と
を含む、装置。
【請求項１９】
コンテンツ制御システムのための制御命令を提供する方法であって、
ビデオ信号に修正を提供することであって、前記修正は、狭められた同期パルス、低下されたバックポーチエリア、低下されたフロントポーチエリア、持続時間における拡張のカラーバースト、持続時間が狭められたカラーバースト、狭められた同期パルスの後の狭められた正方向パルスおよび／または切り込み垂直同期パルスを含む、ことと、
前記ビデオ信号に対する前記修正を読取、感知または検出することと、
前記修正されたビデオ信号の存在を示す信号として前記制御命令を提供することと
を含む、方法。
【請求項２０】
コンテンツ制御システムのためのコンテンツ制御命令を提供する装置であって、
１つ以上の修正をビデオ信号に提供する回路と、
前記ビデオ信号の前記１つ以上の修正を感知または検出するプログラム可能または構成可能検出器とを含み、
前記プログラム可能または構成可能検出器は、前記ビデオ信号の前記１つ以上の修正の存在を示す信号を出力するように前記プログラム可能または構成可能検出器をプログラムするために１つ以上のビットを受信する、装置。
【請求項２１】
前記プログラム可能または構成可能検出器は、前記１つ以上のビットを受信および／または格納する、請求項２０に記載の装置。
【請求項２２】
前記プログラム可能または構成可能検出器の感知または検出特性を決定するためにダウンロード可能ファイル、送信されたファイルまたは格納されたファイルをさらに含む、請求項２０に記載の装置。
【請求項２３】
情報またはデータは送信または格納され、前記回路は新たに修正されたビデオ信号を出力するための構成可能ビデオ修正回路を含み、
前記プログラム可能または構成可能検出器は、前記新たに修正されたビデオ信号を認識または感知するように前記プログラム可能または構成可能検出器を構成するための情報を受信する、請求項２０に記載の装置。
【請求項２４】
コンテンツ制御システムのためのコンテンツ制御命令を提供する方法であって、
１つ以上の修正をビデオ信号に提供することと、
１つ以上のビットをプログラム可能または構成可能検出器に提供することと、
前記ビデオ信号に対する前記１つ以上の修正を感知または検出することと、
前記１つ以上のビットに応答して前記１つ以上の修正の存在を示す信号を出力することと
を含む、方法。
【請求項２５】
新たに修正されたビデオ信号を提供することを可能にする情報またはデータを送信または格納することと、
前記新たに修正されたビデオ信号を感知または検出するように前記プログラム可能または構成可能検出器をプログラムまたは構成することと
を含む、請求項２４に記載の方法。
【請求項２６】
コンテンツ制御システムのためのコンテンツ制御命令を提供する装置であって、
検出器の入力に供給された第１のタイプのコピー防止信号またはコンテンツ制御信号を感知する検出器と、
異なるまたは第２のタイプのコピー防止信号またはコンテンツ制御信号を前記検出器の出力に挿入または追加する１つ以上の回路と
を含む、装置。
【請求項２７】
前記コピー防止信号プロセスは１つ以上のカンパニー(company)によって提供される、請求項２６に記載の装置。
【請求項２８】
コンテンツ制御システムのためのコンテンツ制御命令を提供する方法であって、
第１のタイプのコピー防止信号またはコンテンツ制御信号を感知または検出することと、
異なるまたは第２のタイプの信号を出力として提供するように異なるまたは第２のタイプのコピー防止信号またはコンテンツ制御信号を挿入または追加することと
を含む、方法。
【請求項２９】
コンテンツ制御システムのためのコンテンツ制御命令を提供する装置であって、
コンテンツ制御システムまたは準拠デバイスによって検出可能であるコピー防止信号に対して弱められた、わずかなまたはゼロの有効性を提供する回路であって、再生性能は前記コピー防止信号の有効性と比較して改善されている、回路を含む、装置。
【請求項３０】
コンテンツ制御システムのためのコンテンツ制御命令を提供する方法であって、
コンテンツ制御システムまたは準拠デバイスによって検出可能であるコピー防止信号に対して弱められた、わずかなまたはゼロの有効性を提供することあって、再生性能は前記コピー防止信号の有効性と比較して改善されている、ことを含む、方法。
【発明の詳細な説明】
【技術分野】
【０００１】
（関連出願の相互参照）
本出願は、２００７年５月２日にロナルド・クアンによって出願された「信号に対する修正の検出を介したコンテンツ制御」と題した仮出願第６０／９２７，２２３号に関する。
【背景技術】
【０００２】
本発明は、コンテンツ制御システムに関し、より詳細には、準拠(compliant)デバイスを制御するための次のコンテンツ制御命令を形成するために従来技術の信号、例えば、あらゆる組み合わせにおけるコピー情報信号、あるいは同期信号、カラーバースト修正、擬似同期または自動利得制御（ＡＧＣ）信号などのコピー防止信号に対して意図的に行われる修正を検出する方法および装置に関する。したがって、従来の信号に対する修正、信号の配置または検出された信号の数は、準拠デバイスの動作を決定する。
【０００３】
例えば、擬似同期またはＡＧＣ信号が検出された場合、結果として生じるコンテンツ制御命令は所定の制御を準拠デバイスに提供する。１つの信号が検出された場合、準拠デバイスは１時間の間記録または表示し得る。２つの信号が検出された場合、準拠デバイスはコンテンツ制御命令に応答してシャットダウンするか、またはエラー信号を表示し得る。
【０００４】
そのような準拠デバイスは、ＣＧＭＳまたはデータ信号などの１つ以上のコピー情報信号、および／またはＡＧＣおよび／または擬似同期信号などのコピー防止信号の読取器、センサまたは検出器を含む。
【発明の概要】
【０００５】
コンテンツ制御システムは、格納、受信、アナログ、デジタル、ソフトウェア、送信、ディスプレイ、計算、無線周波数、磁気および／または光学（準拠）デバイスのうちの１つまたはそれらのあらゆる組み合わせを含んでもよい。
【０００６】
以下の特許および／または特許出願は、それらのあらゆるまたは全ての継続出願および／または分割出願とともに、本出願において参考に援用される。上記したおよび／または参考に援用された特許（１つまたは複数）および／または特許出願（１つまたは複数）によるあらゆる組み合わせにおいて説明されたビデオ信号の少なくとも一部のあらゆる修正は、本発明によるコンテンツ制御システムにおける使用ために検出することができる。
【０００７】
ＵＳ特許第５，５８３，９３６号は、コンテンツ制御における使用のために検出することができる信号修正を例示する。例えば、図４は、修正されたフロントポーチレベルを例示する。図５ａ〜図５ｃは、ブランキングおよび／またはアクティブピクチャ部分（１つまたは複数）を含み得る、選択されたピクセルの選択されたＴＶラインにおけるブランキングレベルより下から少なくともピークホワイトまでの間のどこであってもよい範囲を有する信号を追加または挿入することを例示する。図６ａ〜図６ｃは、選択されたＴＶラインの選択されたピクセルに１つのレベルおよび／または別のレベルを有するパルス（例えば、時間の機能として）を挿入または提供するための装置を例示する。図８、図９、図１４ａ、図１４ｂおよび図２１は、特定の持続時間（１つまたは複数）および／またはレベル（１つまたは複数）の様々なパルスをビデオ信号の一部と組み合わせる装置を例示し、および／またはレベルは、例えば、図６Ｂおよび図９における＋Ｖおよび−Ｖ電圧源を有する電圧分割形態、同期置換Ｓ５０、２９ｂ（例えば、延長された同期パルス）によって示されるように、ブランキング以下、ブランキング付近および／またはブランキングより上であってもよい。図３２ａ、図３５ｂ、図３８ｅ、図４３ｇは、１００ＫＨｚ〜５ＭＨｚの範囲内の信号をビデオラインのアクティブ部分のようなビデオ信号の一部、あるいは同期パルスまたは水平帰線消去期間の一部に追加することを例示する。あるいは、１つ以上のパルスはビデオ信号のバックポーチエリアまたは部分に追加されてもよく、ここでパルスは変調され、周期または非周期信号はビデオ信号の一部に追加されてもよい。
【０００８】
以下は本発明の１つ以上の実施形態に用いられてもよい特許第’９３６号のビデオ信号に対する修正の一部リストである。１）チェッカー(checker)などの強化または修正信号、あるいはフロントおよび／またはバックポーチエリアの一部における置き換えられたレベルであり、かかる置き換えられたレベルはブランキングレベルより上または下であってもよい。２）バックポーチエリア（またはその付近）あるいはフロントポーチエリア（またはその付近）における振幅、パルス幅および／または位置変調された負のパルス。３）ＴＶフィールドまたはフレームの最後の数ラインおよび／またはＶＢＩ部分における変調された波形であり、かかる波形はブランキングレベルからブランキングレベルより下または上まで、あるいは約ブランキングレベルまでといったように２つの異なるレベルを有する。最後の数ラインにおける変調された波形の期間は数秒から１秒より短くてもよい。４）選択されたラインにおけるビデオを処理するためには、狭められた同期、ＡＧＣパルスを有する狭められた同期、あるいはＡＧＣおよび／または擬似同期パルスを有する狭められた同期（例えば、ブロック２０８および／または２０４、２０６を参照）。エンド・オブ・フィールド(end of field)（ＥＯＦ）波形またはビデオ信号の一部における波形（期間）は１００ＫＨｚ〜５ＭＨｚの間の周波数を有するパルス振幅変調波形を含んでもよい。振幅変調は（静的であるかまたは）時間に渡って波形（例えば、１００ＫＨｚ〜５ＭＨｚ）の振幅を変化／変更し得る（同期狭めおよび強化信号を含んでもよい）。上述したおよび／またはＡＧＣパルスおよび／または上昇されたバックポーチパルスおよび／または擬似同期パルスと組み合わされた強化またはエラー信号のあらゆる組み合わせ。５）一組の狭められた水平同期パルスおよび／またはもう一組のさらに狭められた水平同期パルスを有するＡＧＣパルスを有するビデオ信号。６）１つ以上のレベルの同期狭め。７）ＨＢＩエリアにおけるレベルシフトあるいはビデオ信号またはＨＢＩの１つ以上の部分におけるレベルシフト。８）言及されたあらゆる修正または波形（または信号の一部）は感知、読取または検出され、かつコンテンツ制御システムにおいて用いられてもよい。
【０００９】
ＵＳ特許第５，３１５，４４８号。以下は本発明の１つ以上の実施形態に用いられてもよいビデオ信号に対する修正の一部リストである。９）記録またはコンテンツ制御のためのアナログコピー防止信号あるいはコンテンツ制御のためのデジタルコピー防止情報ビットを例示する図１および図２。１０）コンテンツ制御を提供するためにデジタルおよび／またはアナログドメインにおける情報を検出するアンチコピービットまたはコンテンツ制御ビット検出器および／またはアナログコピー防止信号検出器。１１）アナログ信号を受信し、アナログビデオ信号に対する修正の検出のためのデジタルフラグを生成するためのＡ／Ｄ変換器。１２）デジタルフラグ（例えば、フラグ検出器を有する）を受信し、ビデオ信号を修正されたアナログ信号へと処理するために用いられてもよいＤ／Ａ変換器。１３）コピー防止信号（１つまたは複数）をＤ／Ａ変換器に付与し得るコピー防止信号生成器。１４）コピー防止情報のためのデジタルビットストリームを検出するＳＣＰＳ（シリアルコピー防止スキーム）ビット検出器。１５）アナログおよび／またはデジタルドメインにおけるコピー防止情報を感知する単なる一例示的デバイスであり得るレコーダであり、かかるレコーダはシャットダウンするか、記録しないか、および／またはその出力においてコピー防止波形を追加／挿入する（あるいは修正された信号を提供する）というコピー防止情報からの命令に従ってもよい。１６）アナログおよび／またはデジタルドメインにおける検出されたコピー防止情報信号（または検出された修正された信号）の機能である視聴または記録の使用不能化装置(disabler)。１７）コピー防止信号（１つまたは複数）の適用の制御のためおよび／または準拠デバイスにおける記録または視聴に影響を与えるためのアナログおよび／またはデジタルドメインにおけるフラグの検出。ＳＣＰＳ、アンチコピー／アンチ視聴および／またはコピー防止信号のあらゆる組み合わせを用いる。例えば、読取器は、擬似同期パルス、バックポーチＡＧＣパルス、擬似同期−ＡＧＣパルス対、フィールド／フレーム長の変動、ライン持続時間の変動および／または同期振幅減少を感知する。コンテンツ制御システムはこれらの信号のあらゆる組み合わせを感知することができ、それによって使用不能化／修正機能（例えば、記録および／または視聴を使用不能化する）を実行し、および／またはコピー防止を有するアナログ信号（および／またはデジタル信号）を提供するために生成器を介して波形を追加／挿入する。波形（１つまたは複数）はプログラム可能であるか、または（例えば、ユーザによって）設定されてもよい。
【００１０】
ＵＳ特許第６，３８１，７４７号。以下は本発明の１つ以上の実施形態に用いられてもよいビデオ信号に対する修正の一部リストである。１８）図１〜図３はアナログおよび／またはデジタル信号に対するビデオのコピー防止を提供する方法およびシステムを例示し、かかる信号はネットワーク（例えば、デジタルデリバリネットワーク）を介して送信される。このデジタルデリバリネットワークは、ペイ・パー・ビューまたはペイ・パー・ダウンロード特徴を含んでもよい。１９）送信は、無線、有線、光、電話線、ケーブル、ＷｉＦｉ、Ｗｉｍａｘおよび／またはインターネットを含んでもよい。２０）セットトップボックスまたはデバイス（例えば、受信器、携帯電話または携帯型コンピューティングデバイス）は、制御ビットを有するプログラムマテリアルを受信する。制御ビットは、あらゆるコピー防止情報信号、修正された信号および／またはあらゆるコピー防止信号を出力（デジタルおよび／またはアナログまたは無線周波数）において生成するようにデバイスまたはセットトップボックスに命令してもよい。デバイスまたはセットトップボックスは、デジタル減圧器および／またはＭＰＥＧ復号器、復調器、ソフトウェアアプリケーション（１つまたは複数）、メモリ、格納デバイス（１つまたは複数）、コンピューティングシステム、ＣＰＵ、電子プログラムガイド、ディスプレイ、オーディオプロセシング、条件付きアクセスシステム、コピー防止信号またはビデオ信号における修正を有する信号をオン／オフ、および／または選択するための構成ビットのうちのあらゆる組み合わせを含んでもよい。デバイスは、高い、標準および／または低い解像度ビデオ信号（１つまたは複数）を生成することができる。構成および／またはモードビット（１つまたは複数）は（ビデオ）信号のあらゆる修正を提供するために用いられてもよい。
【００１１】
ＵＳ特許第６，５０１，８４２号。以下は本発明の１つ以上の実施形態に用いられてもよいビデオ信号に対する修正の一部リストである。２１）同期パルスの後のレベルを変更する、請求項１〜１０。例えば、変更は、コンテンツ制御システムのための命令を伝達するために感知、測定および／または使用されてもよい、例えば、−１０ＩＲＥ〜−３０ＩＲＥの範囲内のバックポーチの一部を修正することを含んでもよい。２２）バックポーチ低下、同期狭め、同期広げ、ＡＧＣパルス、擬似同期パルス、エンド・オブ・ライン(end of line)信号および／またはエンド・オブ・フィールド信号のあらゆる組み合わせは、コンテンツ制御システムのための信号または命令を伝達し得る。
【００１２】
ＵＳ特許第６，５１６，１３２号。以下は本発明の１つ以上の実施形態に用いられてもよいビデオ信号に対する修正の一部リストである。２３）１つ以上の水平帰線消去期間にサブキャリア信号を提供することを例示する図３Ａ〜図７および欄９〜欄１４。一例としては、水平同期パルス（または同期エリア内）の立ち下がりエッジの後に修正されたカラーバーストを提供することである。水平同期パルスは位置および／またはパルス幅が設定されてもよいことに留意されたい。カラーバーストは、ビデオ信号の一部内における振幅（および／または位相）変動を含んでもよい。例えば、セグメント化された信号が提供されてもよい。あるいは、カラーバースト修正は、別のＴＶラインのカラーバーストまたは「標準」のカラーバーストより多いまたは少ないサブキャリアのサイクルを含んでもよい。欄９〜欄１４は、ビデオ信号に対する様々な修正または供給の例である様々な表１ａ、表１Ｂ、表２ａおよび表２ｂを示し、そのあらゆる組み合わせのあらゆる特徴がコンテンツ制御システムにおいて用いられてもよい。当然これらのテーブルは例であり、他のパラメータまたは数が用いられてもよい。１つ以上の修正がデジタルレコーダ（１つまたは複数）、レコーダ（１つまたは複数）および／または集積回路（１つまたは複数）において利用されてもよい。２４）（コンポーネントＴＶ信号に対する）Ｒ−ＹまたはＢ−Ｙ信号におけるカラーバースト修正または変化は、コンテンツ制御システムに命令を伝達するために感知／読取／検出されてもよい。カラーバースト修正は、位相、振幅、１つ以上の位相切換ポイントおよび／またはカラーバースト修正のプログラム可能性を含む。２５）１つ以上の同期信号における様々な幅または位置のあらゆる組み合わせは、コンテンツ制御システムに信号を伝達するために使用／読み取られてもよい。２６）同期信号の様々な幅および／または位置、ＡＧＣ、擬似同期および／またはカラーバースト修正は、少なくとも１つの命令または信号をコンテンツ制御システムに伝達してもよい。２７）２ライン（またはｍライン）あるいは４ライン（またはｎライン）カラーストライプ信号が記載されており、１つ以上のコンテンツ制御命令を伝達してもよい。２８）アドバンスドカラーバースト信号または拡張された持続時間のカラーバーストは、コンテンツ制御システムに用いられてもよい。狭められた持続時間のカラーバースト信号は、本発明の１つ以上の実施形態に適用されてもよい。この弱められたバージョンのカラーバースト修正は、コンテンツ制御および／または検出のために用いられてもよい。この弱められたバージョンのカラーバーストまたはスプリット(split)バースト信号は、改善された再生性能を有する（さらに、例えば、ＶＣＲに対して低下した、わずかなまたはゼロ(nil)の有効性を有する）。例えば、カラーバーストはＮ個のゾーンに分けられてもよい。修正された位相または周波数は、カラーバースト包絡線の小部分（例えば、１、２、３、４つのサイクルまたはそれ以上）を占めることができ、これは改善された再生性能のカラーストライプ信号を提供する。他の（例えば、多数）ゾーンは、実質的に正常なバースト位相または周波数を有してもよい。例えば、ＰＡＬ規格では、カラーストライプ信号に修正された位相を有する１ラインごとのサイクルが多すぎた場合、再生性能アーティファクトが生じる。サイクルの数を減少または修正された位相を含むラインの数を減少させることができる。さらに、多くの場合、修正された位相は９０度の倍数である。修正された位相を９０度未満に設定することによって改善された再生性能を達成することができる（例えば、１度〜３０度の間が再生性能に対して許容であるが、他の範囲の度も使用可能である）。さらに、ＰＡＬまたはＮＴＳＣ規格では、一部のＴＶセットは、数サイクルの修正された位相を有する修正されたＴＶライン上の彩度または輝度シフト（アーティファクト）を示し、正常なバースト位相を有するライン上にはアーティファクトを示さない。したがって、ＴＶフィールドに渡って彩度または輝度に対する不連続性がある。再生性能を改善するかまたはアーティファクトを減少させる一方法は、アクティブフィールド内の実質的に多数、ほとんどまたは全てのラインに対して非常にマイルドまたは弱められた形のカラーストライプ信号を設定することである（例えば、１ラインごとに１、２、３または４つのサイクル）。この場合、シフトまたはアーティファクトはフィールド中に存在し、これは彩度または輝度における一定のシフトを表示し、（彩度または輝度の不連続性は表示されないため）あまり顕著ではない。修正された位相サイクルは、選択されたＨＢＩ内で任意の順番または任意の位置に配置されてもよい（好ましくは、検出可能である順番または位置であるが、ディスプレイアーティファクトを生じさせない）。次いで、与えられた弱められた形のカラーストライプ信号（またはカラーバースト修正）は、制御コンテンツシステムのために検出され得る。
【００１３】
ＵＳ特許第６，６００，８７３号。以下は本発明の１つ以上の実施形態に用いられてもよいビデオ信号に対する修正の一部リストである。２９）コンテンツ制御のためのカラーバースト修正の検出を示す図１Ｃ、図２および図３。例えば、修正されたカラーバースト検出器は、コンテンツ制御信号の存在を信号で知らせる方法として位相変動または特定の位相を検出する。３０）記録または視聴を修正／禁止するための使用不能化装置は検出器に結合されてもよい。３１）修正されたカラーバーストの検出の際に信号ソースを切り替えるためにスイッチが用いられてもよく、かかる信号ソースは様々なプログラムビデオソース、あるいは固定された、予め格納されたまたは置換信号であってもよい。３２）修正されたカラーバーストは、１つ以上の位相切替ポイントおよび／または１つ以上のサイクルの非正常なサブキャリア位相を含んでもよく、これは１つ以上のコンテンツ制御命令を示すために用いられてもよい。修正されたカラーバーストは、コンテンツ制御システムに情報（例えば、視聴および／または記録の制御）を伝達するために読取、感知または検出および使用されてもよい。
【００１４】
ＵＳ特許６，８３６，５４９号。図２〜図１１は、パルス幅または位置修正（１つまたは複数）といったような同期または擬似同期信号に対する様々な修正を示す。正（または負）方向パルス（例えば、ＡＧＣパルスあるいは（擬似同期または水平同期パルス））は、パルス幅または位置修正を含んでもよい。負方向パルスおよび／または正方向パルスとの間のギャップの持続時間は、コンテンツ制御システムにおける使用のために読取または感知されてもよい（例えば、ギャップ持続時間はゼロまたはなんらかの非ゼロ値を含んでもよい）。正および／または負方向パルス（またはギャップ）の振幅修正は、コンテンツ制御信号を伝達してもよい。例えば、位置、振幅、パルス幅、位相、ギャップ幅、および／または１つの同期、擬似同期、バックポーチパルス（ＡＧＣまたは正方向）および／またはＡＧＣパルスからのレベルにおける変化は、コンテンツ制御システムのための１つ以上の命令を伝達するために感知／読取／検出／解釈される。１ＴＶラインから別のＴＶラインへの負および／または正方向パルスの数は、コンテンツ制御情報または命令を伝達するために用いられてもよい。さらに、１ＴＶラインまたは持続時間（例えば、１以上のＴＶラインまたは１以上のＴＶフィールドまたはフレーム）内の正および／または負方向パルスの修正（１つまたは複数）は、本発明の１つ以上の実施形態に用いられてもよい。ギャップレベルは通常黒レベルまたはブランキングレベル辺りであるが、コピー防止目的のための増大した有効性、ＡＧＣシステムにおける増大した有効性、またはコンテンツ制御信号を提供することに用いるためにレベルを上げることができることに留意されたい。例えば、負方向パルス（例えば、擬似同期パルス）の立ち下がりエッジと正方向パルス（例えば、ＡＧＣパルス）の立ち上がりエッジとの間のギャップ電圧またはレベルは、０％白レベルより上に上昇されてもよい（例えば、０．５％から１４０％白レベルまで）。ギャップの一部のレベルは増大した（または下がった、例えば、ギャップレベルの低下）有効性を提供するために変更されてもよい。あるいは、ギャップ電圧の一部または全部は、コンテンツ制御および／またはコピー防止信号の一部として黒またはブランキングレベルより下に低下されてもよい。
【００１５】
ＵＳ特許第７，０３９，２９４号。図２Ａ〜図９は、カラーバースト信号の修正または同期パルスの後に続く修正されたサブキャリア信号の供給の様々な図を示す。例えば、これらの修正された信号は、１つのまたはもう１つの位相を含む１つ以上のセグメントを含んでもよい。修正された信号は、水平帰線消去期間の一部またはバックポーチエリアの一部に振幅変動を含んでもよい。位相、持続時間、位置および／または振幅変動のカラーバースト包絡線を提供することは、本発明の１つ以上の実施形態におけるコンテンツ制御として利用することができる。カラーバースト包絡線は、あらゆる変動に対して読み取ることができ、コンテンツ制御システムで用いられてもよい。カラーストライプ検出器（またはその出力信号）は、ビデオ信号を処理することに使用してもしなくてもよく、カラーストライプ検出器あるいは位相または周波数検出器はコンテンツ制御システムの一部であってもよい。
【００１６】
ＵＳ特許第７，０５０，６９８号。図２Ａ〜図９は、水平帰線消去期間またはその付近における様々なコンテンツ制御修正を示す。例えば、サブキャリア信号の修正された周波数または位相は水平帰線消去期間（ＨＢＩ）の一部に設けられ、これはコンテンツ制御情報信号を伝達するために用いられてもよい。フロントポーチ修正および／またはサブキャリア信号をシンクチップ(sync tip)部分および／またはバックポーチ部分に追加することは、ビデオ信号内で提供されてもよく、これは（水平）帰線消去期間内の１つ以上のエリアを「検査する」検出器によって感知、読取または検出することができる。これらのあらゆる修正または追加／挿入されたサブキャリア信号（１つまたは複数）は、コンテンツ制御システムのための情報を伝達するために用いられてもよい。さらに、サブキャリア信号は、公称カラーサブキャリア周波数ではない周波数の１つ以上のサイクルを含んでもよい。例えば、言及されたサブキャリア周波数は、ＮＴＳＣ、ＰＡＬまたはＳＥＣＡＭサブキャリア周波数などの問題のＴＶ規格の公称またはほぼ標準のサブキャリア周波数と等しくない場合がある（例えば、「標準」３．５８ＭＨｚまたは４．４３ＭＨｚカラー周波数より上または下）。正確な周波数および／または位相のサブキャリア信号ならびに不正確な周波数および／または位相の信号は、水平帰線消去期間の一部またはバックポーチエリアに提供されてもよく、これは本発明の１つ以上の実施形態で用いられてもよい。ＵＳ第７，０５０，６９８号発明は、同期位置、パルス幅修正、および／または擬似同期および／またはＡＧＣ信号のような基本的なコピー防止信号を含む。さらに、ビデオ信号のインターネット受信およびアナログ信号（１つまたは複数）に対する１つ以上の修正を有する１つ以上のタイプのアナログビデオ信号の供給も含まれる。例えば、本発明は、同期パルスの修正された持続時間および／または位置（例えば、狭められまた広げられた水平同期パルス（１つまたは複数）および／または位置が変更されている１つ以上の水平同期パルス（１つまたは複数））をさらに含む。さらに、１つ以上の水平帰線消去期間の修正された持続時間も含まれる。例えば、アクティブビデオラインのいずれかまたは両方の端における広げられた部分は、電圧レベルまたはブランキングレベルによって置き換えられ、あるいは狭められた水平帰線消去期間が提供されてもよく、ここではアクティブＴＶラインの持続時間を増加させる余分のピクチャ情報が含まれる。例えば、特許第’６９８号の欄１０、ライン５０〜６２における説明が本出願に組み込まれている。
【００１７】
ＵＳ特許第７，２３６，６８３号。図１〜図５は、コンテンツ制御を提供し得るビデオ信号に対する様々な修正を示し、かかる修正は、拡張されたカラーバースト持続時間、同期パルスの前または後に挿入または追加された同期信号、拡張された擬似同期および／または水平同期（の少なくとも一部）、カラーバースト減衰またはブランキング、プレ同期(pre-sync)パルスおよび／または正方向パルス、あるいはＨＢＩにおける負方向および正方向信号を含む。ＡＧＣまたは擬似同期パルスあるいは擬似同期およびＡＧＣパルスのような基本的なコピー防止プロセスは、本発明の１つ以上の実施形態を提供するために上記の修正と組み合わせて用いられてもよい。
【００１８】
ＵＳ特許第４，６３１，６０３号。図１〜図３は、本発明の１つ以上の実施形態において利用されてもよい擬似同期および／またはＡＧＣパルスを示す。少ない有効性（および／またはより良い再生性能）を作り出すためのこの弱められたバージョンの信号（例えば、フィールド内のより少ないライン、あるいは、例えば、振幅、パルス幅および／または位置が修正されたパルス）は、準拠デバイスまたはコンテンツ制御のための検出のために用いられてもよい。
【００１９】
ＵＳ特許第４，９０７，０９３号。図１〜図６。擬似同期および／またはＡＧＣパルス検出はコンテンツ制御のために用いられる。例えば、記録制御システムは、擬似同期および／またはＡＧＣパルスが検出された場合にシャットオフするか、またはビデオ信号を修正するために示されている。
【００２０】
ＵＳ特許第４，５７７，２１６号。図１〜図２。バースト位相修正器は、選択されたＴＶラインにカラーストライプ信号を、または選択されたラインに修正されたカラーバーストを提供し、これはサブキャリアの修正された位相を含み、かつコンテンツ制御命令を伝達するために用いられてもよい。この弱められたバージョンの信号（例えば、より低い有効性を作り出し、および／または改善された再生性能を作り出すためにフィールドにおける修正されたサブキャリアのより少ないラインまたはサイクル）は、準拠デバイスまたはコンテンツ制御のための検出のために用いられてもよい。
【００２１】
ＵＳ特許第６，１８８，８３２号。図３〜図４。コンテンツ制御を伝達するために用いられてもよい同期パルス狭めおよびＡＧＣパルスが示されている。例えば、選択された狭められた同期パルス（例えば、水平同期）、擬似同期および／またはＡＧＣパルスを含むビデオ信号は、１つ以上のＡＧＣ、擬似同期および／または狭められた同期パルスの存在を検出する準拠デバイスに結合されてもよい。（上述したように）ビデオ信号と組み合わされてもよい低下されたバックポーチエリアが含まれてもよく、および／または低下されたバックポーチエリアはコンテンツ制御システム（１つまたは複数）における使用のために感知され得る。
【００２２】
ＵＳ特許第４，８１９，０９８号。図１〜図３。上昇されたバックポーチまたは追加／挿入された正方向パルスを有するビデオ信号は、コンテンツ制御を提供するために同期パルスにおける低下された同期レベルと組み合わされてもよい。一般には、「上昇されたバックポーチ」という用語は、ＨＢＩ部分における上昇されたバックポーチおよび／または正方向パルス（例えば、同期パルスの立ち下がりエッジの後であり、同期パルスは正常または非正常なパルス幅を有する）を有する信号を含んでもよい。低下された同期レベルは、コンテンツ制御システムに情報を伝達するために感知または読み取られてもよい。低下された同期レベルとＡＧＣバックポーチパルスまたはほかの所のＡＧＣパルスとの組み合わせは、コンテンツ制御システムに情報を伝達するために感知または読み取られてもよい。
【００２３】
ＵＳ特許出願公開第ＵＳ２００６００９３１４０Ａ１号。ＨＤコンテンツ制御。トライレベル(tri-level)同期信号を有する信号の修正が含まれる。修正は、バックポーチエリア、水平帰線消去期間の一部、アクティブラインの一部および／または垂直帰線消去期間の一部における正方向または負方向信号を含んでもよい。あらゆるコンポジットまたはコンポーネントビデオ信号チャネルは、コンテンツ制御を提供するために１つ以上のこれらの修正を有してもよい。変調はあらゆる修正に含まれてもよい。
【００２４】
ＵＳ特許出願公開第ＵＳ２００６００９３１３９Ａ１号。トライレベル同期ビデオ信号の修正は、コンテンツ制御命令を提供し得る。
【００２５】
ＵＳ特許出願公開第ＵＳ２００６０２５１２５２Ａ１号。ビデオ信号の修正は、コンテンツ制御システムにおける命令を変更するために用いられてもよい。これは、１つのタイプのコピー防止信号の追加のパルスの位置を他に対して変更することを含んでもよい。例えば、コンテンツ制御を提供するために１つ以上の正方向ＡＧＣパルスがビデオ信号の他の箇所に追加されてもよい。
【００２６】
ＵＳ特許出願公開第ＵＳ２００６００８５８６３Ａ１号。図１〜図８は、コンテンツ制御を提供するために記録された媒体にアンチコピー防止（ＡＣＰ）（すなわち、例えばプログラム可能）波形を含む。
【００２７】
ＵＳ特許出願公開第ＵＳ２００６００８３３７３Ａ１号。図１Ａ〜図２Ｄは、コンテンツ制御を提供するためにコピー防止信号の一部をブランキングすることを示す。
【００２８】
ＵＳ特許第５，１３０，８１０号。図１〜図４は、コンテンツ制御を提供するためにアクティブビデオ部分の黒レベルを上昇させること、あるいはバックポーチおよび／またはカラーバースト包絡線を低下させることを示す。
【００２９】
ＵＳ特許第４，６９５，９０１号。図１〜図２は、コンテンツ制御を提供するためにカラーバーストレベルを置き換え、および／または擬似同期パルスの一部をクリッピングすることを示す。コピー防止信号は、有限の持続時間のために上昇または低下されたカラーバースト包絡線の少なくとも一部を含んでもよい。例えば、低下または無効になった有効性を有するＡＧＣおよび／または擬似同期信号のようなコピー防止は、コンテンツ制御信号として用いられても、またはコンテンツ制御システムにおいて検出されてもよい。
【００３０】
ＵＳ特許第４，６２６，８９０号。図１は、コンテンツ制御を提供するためにカラーバーストのバースト位相変調を除去することを示す。
【００３１】
ＵＳ特許第５，１５７，５１０号。図１〜図４（ｉ）は、ＡＧＣ、同期および／または擬似同期信号の周波数を狭めるかまたは増加させることを示す。ビデオ信号の一部の時間圧縮は、コンテンツ制御を提供するためのビデオ信号の処理の一方法である。時間圧縮の別の用途は、ビデオラインおよび／またはフィールドレートのスケーリングである。例えば、スケーリングは１つ以上の寸法（例えば、幅および／または高さ）に幾何学的に沿った圧縮または拡張を含む。これらのあらゆる信号修正は、コンテンツ制御を提供するために用いられてもよく、またはコンテンツ制御のためのビデオ信号の一部として用いられてもよい。
【００３２】
ＵＳ特許第５，１９４，９６５号。図１〜図７（ｈ）は、コンテンツ制御を提供するための同期、ＡＧＣおよび／または擬似同期パルスのレベルシフト、ならびに同期および／または擬似同期および／またはＡＧＣパルスの狭めを示す。さらに、ＡＧＣおよび／または擬似同期パルスの周波数の増加、および、例えばスケーリングに適用することができるビデオ信号の一部の時間圧縮は、コンテンツ制御を提供するために用いられてもよく、またはコンテンツ制御のためのビデオ信号の一部として用いられてもよい。
【００３３】
ＵＳ特許第４，９３７，６７９号。図１〜図６は、シャットダウンを引き起こすためにＡＧＣおよび／または擬似同期を検出する記録制御システムを示す。シャットダウンは、ディスプレイ、送信または（他の）格納デバイスのような他のデバイスのためのコンテンツ制御として適合されてもよい。
【００３４】
ＵＳ特許第４，９１４，６９４号。図１〜図２Ｂは、コンテンツ制御を提供するためにＴＶフィールドまたはフレームにおけるラインの数を変更することを示す。ＴＶラインの数を変更するというこの原理は、１つのＴＶ規格から別のＴＶ規格へのスケーリングに適合されてもよい。ＴＶフォーマット（１つまたは複数）における変化を感知することは、コンテンツ制御命令を伝達できる。
【００３５】
ＵＳ特許出願公開第ＵＳ２００４／０２２８６０５Ａ１号。図１〜図６Ｃは、コンテンツ制御システムに情報を伝達するために用いられてもよい黒またはグレイのフレームの修正を示す。
【００３６】
ＵＳ特許第６，４０４，８８９号。図１〜図４は、位置、振幅および／または幅が修正されたＶＧＡまたはコンポーネントビデオコピー防止および／または同期パルスなどの信号修正を示し、コンテンツ制御を提供するために１つ以上の同期パルスが消去されてもよい。
【００３７】
上述した特許（１つまたは複数）および／または特許出願（１つまたは複数）のあらゆる組み合わせによって説明され、本明細書中において参考に援用されるあらゆる信号またはビデオ信号の少なくとも一部のあらゆる修正は、本発明によるコンテンツ制御システムにおける使用のために読取、感知または検出されてもよい。あらゆる信号またはそれらの組み合わせ（１つまたは複数）は、コンテンツ制御デバイスに提供されてもよい。
【００３８】
ビデオ信号の少なくとも一部をウォーターマーク(watermark)またはフィンガープリント(finger print)することは、コンテンツ制御システムの検出プロセスにおける１つ以上の信号に対して、および／または上述したまたは任意の援用された特許に記載されたあらゆる信号と組み合わせて用いられてもよい。ウォーターマークされた信号は、ビデオ信号の非アクティブビデオ部分、オーバースキャンエリア、または可視エリアの一部に埋め込まれてもよい。
【００３９】
本発明は、コントロールビット（１つまたは複数）および／または複数のオーディオ、データまたはビデオ信号のうちの１つ以上に対する修正（１つまたは複数）を感知する多数の実施形態を含む。そのような修正は、１つ以上のコピー防止信号および／またはコピー防止強化信号を含んでもよい。信号の任意の組み合わせを検知した場合、コンテンツ制御システムには準拠デバイスの制御のためのコンテンツ制御命令が提供される。例えば、コンテンツ制御システムは、プレーヤー、受信器、電話（有線または無線電話を含んでもよい）、セットトップボックス、コンピュータ、レコーダおよび／またはデジタル／アナログデバイスを含む。受信デバイスは無線デバイスを含んでもよい。
【００４０】
コンテンツ制御は、記録、再生、送信および／または表示状態（１つまたは複数）／制御を組み入れてもよい。例えば、修正された信号の検出によって生成されたコンテンツ制御命令は、プログラマが記録、再生、送信および／または表示されているか否か（またはどうように記録、再生、送信および／または表示されているか）を決定できる。そのような状態の一例としては、いつおよび／またはどのくらい長くプログラムが記録、再生、送信および／または表示されるかを含んでもよい。そのような状態の別の例としては、どのようにプログラムが記録、再生、送信および／また表示されるかを含んでもよい。例えば、ビットレート、解像度および／または分布（例えば、限定的な方法における）は、コンテンツ制御システムの一部として含まれてもよい。
【００４１】
本発明の様々な実施形態は、一例として、（例えば、上述の特許および出願に対して以前に説明したような）修正された信号（１つまたは複数）を例示し、かつ本発明によって感知、読取または検出される以下の（強化）信号のうちの１つ以上の感知、読取または検出を含んでもよい。
【００４２】
１）低下されたバックポーチ（一部または全部）。
【００４３】
２）低下されたフロントポーチ（一部または全部）。
【００４４】
３）低下されたアクティブビデオライン（一部または全部）。
【００４５】
４）修正された、狭められたまたは広げられた同期パルス。
【００４６】
５）位置、パルス幅またはエッジ変調された同期パルス（例えば、２つ以上のパルス）。
【００４７】
６）別の同期パルスに対してエッジの位置が変更されている同期パルス。
【００４８】
７）別の同期パルスに対して持続時間が変更されている同期パルス。
【００４９】
８）（例えば、自動利得制御（ＡＧＣ）振幅器に対して減衰効果をもたらすために）持続時間が狭められたおよび／または１つ以上の正方向パルスを含む同期パルス。
【００５０】
９）１つ以上の振幅変調された負方向および／または正方向パルス。例えば、負方向パルスは、黒レベルより下（例えば、＋７．５％白より下または０％白）あるいはブランキングレベルより下（例えば、０％白より下）に向かう信号（１つまたは複数）を含み、および／または正方向パルスはブランキングまたは黒レベルより上の信号であってもよい。他の例としては、擬似同期、ＡＧＣまたは帰線消去期間におけるレベルシフトパルス（１つまたは複数）（例えば、バックポーチおよび／または同期パルスの一部のレベルシフトされた部分）が挙げられる。
【００５１】
１０）狭められたまたは広げられたバースト包絡線。
【００５２】
１１）帰線消去されたバースト包絡線（一部または全部）。
【００５３】
１２）修正された位相、周波数および／または振幅バースト包絡線（一部または全部）。この修正されたバースト包絡線は、ビデオ信号の一部（たとえば、同期パルス（１つまたは複数）の後）に追加された１つ以上の不正確な周波数を含んでもよい。例えば、不正確なカラー周波数信号は、ＶＣＲ（例えば、ＶＨＳ）に対してコピー防止効果をもたらす場合またはもたらさない場合があり、コンテンツ制御システムまたは準拠デバイスにおける使用のために検出される。例えば、不正確なカラー周波数信号（または正確な周波数の信号であるが、異なる振幅および／または位相）は、バックポーチエリアの一部に追加されてもよい。修正された信号はＶＣＲによって感知され、これはわずかなまたは無コピー防止効果をもたらすが、準拠デバイスによって検出された場合、例えば、記録の禁止、記録および／または再生されたビデオの解像度の減少、格納されたコピーに対する時間制限の設定などによってコンテンツ制御またはコピー制御を引き起こす。例えば、この信号は、オーバースキャン部分またはアクティブＴＶエリアの一部に提供される。修正されたカラーバースト信号は、オーバースキャンエリアにおける１以上のラインのような選択されたＴＶラインに配置されてもよく、あるいは修正されたカラーバーストは弱められたまたは無効になった有効性を有する場合があるが、コンテンツ制御システムにおける検出のためにまだ使用可能である。例えば、システムは、ビデオレコーダのカラーシステム（例えば、ＶＨＳレコーダ）に対する低下した、わずかなまたはゼロの有効性を有するコンテンツ制御システムにおける検出のために（十分な数のＴＶラインにおける）十分に修正された位相または周波数を有するカラーストライプ信号を提供できる。（弱められたまたは低下した有効性信号の）一例としては、Ｎ数のＴＶライン毎の１または２ラインにスプリットバーストカラーストライプ信号（または修正された位相または周波数）あるいは不正確な周波数のサブキャリア信号を提供することが挙げられる。
【００５４】
１３）同期パルス（例えば、水平、垂直、等化および／または擬似同期パルス／信号）の修正された振幅、幅および／または位置。
【００５５】
１４）擬似同期パルス。
【００５６】
１５）水平帰線消去期間および／または垂直帰線消去期間におけるＡＧＣパルス。
【００５７】
１６）アクティブテレビ（ＴＶ）ラインにおける正のパルスおよび／または負のパルス。
【００５８】
１７）トライレベル同期パルスを有するＴＶ信号。
【００５９】
１８）修正されたＲ−ＹまたはＢ−Ｙ、Ｙ、Ｕ、Ｖ、ＩまたはＱ信号および／または修正されたＲ、Ｇおよび／またはＢ信号。
【００６０】
１９）水平または垂直帰線消去期間における修正されたまたは修正されていない擬似同期および／またはＡＧＣパルス。
【００６１】
２０）１つ以上のＡＧＣパルスが後に続く狭められた同期パルス。
【００６２】
２１）ＡＧＣシステムまたはビデオカセットリコーダ（ＶＣＲ）に対して減衰効果をもたらすコピー防止信号が後に続く狭められた同期パルス。
【００６３】
２２）ＴＶライン（あるいは水平または垂直帰線消去期間）持続時間における変化（例えば、アクティブライン持続時間および／または帰線消去期間持続時間、あるいはレターボックス(letter boxing)）あるいはＴＶフィールドまたはフレームにおけるＴＶラインの数における変化（例えば、異なるＴＶ規格へのスケーリング）。レターボックスの使用は、コンテンツ制御を提供するために情報、データまたは信号を非プログラムビデオエリア（例えば、カラー、グレイまたは黒のエリアの左、右、上および／または下における余白エリアの一部）に符号化／挿入／追加するために用いられてもよい。
【００６４】
２３）ＴＶフィールド、フレーム期間または周波数における変化（例えば、より高い解像度からより低い解像度へ、またはより低い解像度からより高い解像度へ）。
【００６５】
２４）異なるラインまたはフィールド持続時間／周波数を含み得るＴＶ規格における変化（ＮＴＳＣからＰＡＬへまたはその逆、コンポジットビデオフォーマットからコンポーネントへ、あるいはインターレースからプログレッシブへまたはその逆）。
【００６６】
２５）拡張された振幅（例えば、負方向）パルス、例えば、シンクチップレベルより低いレベルのパルス。拡張された振幅パルスは、「正常」なシンクチップレベルより低いチップの帰線消去期間における負方向パルスを含んでもよい。
【００６７】
２６）正のピーク振幅が１２０％ピークホワイトより低い、帰線消去期間におけるＡＧＣパルスまたは正方向パルス／信号。５０％ピークホワイトより低い、“より小さい”ＡＧＣパルスあるいは正方向信号、波形またはパルスは、コンテンツ制御における使用のための含まれてもよい。
【００６８】
上記のあらゆる信号および／または修正の他の例は、記録、視聴および／または１つの（準拠）デバイスから別の（準拠）デバイス（デバイスは類似しても異なってもよい）へ信号を送ることを制限するといったようにコンテンツを制御するために用いられてもよい。例えば、上記の１〜２６の番号が付けられた信号のうちの１つ以上は、ビデオ信号に提供される。例えば、ビデオ信号は１つ以上の信号を含み、ここで準拠デバイスの感知システムまたは読取器は上記の信号のうちの１つ以上を感知できる。準拠デバイスは、全ての信号（１つまたは複数）あるいは修正を感知する必要がない場合がある。例えば、選択されたラインに狭められた同期（例えば、水平または垂直）もあったとしても、準拠デバイス、感知システムまたは読取器は擬似同期パルスおよび／またはＡＧＣパルスを読取、感知または検出し得る。したがって、この図においては、多数の擬似同期パルスおよび／またはＡＧＣパルスおよび狭められた同期パルスを含む修正されたまたは修正されていないコピー防止信号は、擬似同期パルスを読取または感知し、狭められた同期（１つまたは複数）を必ずしも読取または感知しない準拠デバイスに命令を提供し得る。（準拠）デバイスの例としては、レコーダ（１つまたは複数）、コンピュータ（１つまたは複数）、携帯電話（１つまたは複数）、セットトップボックス（１つまたは複数）、受信器（１つまたは複数）、チューナ（１つまたは複数）、送信器（１つまたは複数）、ディスプレイ（１つまたは複数）、プレーヤー（１つまたは複数）、テレビ（１つまたは複数）、格納デバイス（１つまたは複数）および／または電話（１つまたは複数）が挙げられる。
【００６９】
さらに、任意の準拠デバイスは、異なる（ＴＶ）レート（例えば、解像度）で動作し、かつコンテンツ制御システムの一部としてオーディオおよび／またはビデオ信号の帯域幅（あるいは解像度または（表示された）フレーミング）に影響を与え得る。
【００７０】
本発明は、電気的消去線(electrically erasing line)、電子的接続線(electronically connecting line)および／またはプログラミング方法（１つまたは複数）のような任意の手段による活動化または非活動化の性能を有する集積回路（ＩＣ）またはデバイスの中に埋め込まれてもよい。したがって、本発明は集積回路のプロセシングを含み、修正（１つまたは複数）または波形（１つまたは複数）を提供する１つ以上の回路またはシステムの使用にも関わらず、１つ以上の修正または波形をビデオ信号に提供する回路網が存在する。未使用バージョンは、例えば、プログラム制御、非動作のための１つ以上のパワー／制御／信号ライン（１つまたは複数）の設定、および／または使用可能なリンク（１つまたは複数）の使用可能化または使用不能化による意図された機能の電気的使用不能化を含んでもよい。
【００７１】
ビデオ信号の１つ以上の部分に対する修正は、コンテンツ制御システムの一部または全部に用いられてもよい。例えば、ビデオ信号の少なくとも一部におけるペデスタルまたは黒レベルにおける変化は、コンテンツ制御のための信号を示すことができる。図は、コンテンツ制御システムに関するビデオ表示情報のセットアップレベルを有する。一例では、ペデスタルにおける変化（例えば、１つ以上のレベル）、（通常「黒またはグレイ」あるいはカラー化された）レターボックスエリアの一部に追加された信号、またはピクチャの周りの表示されたフレームは、コンテンツ制御システムのためのコンテンツ制御命令を提供するために検出され得る情報を伝達する。
【００７２】
挿入された１つまたは複数の信号あるいは信号修正は、利用可能であるビデオチャネルのあらゆる組み合わせにおいて影響され得る。例えば、輝度、コンポーネントおよび／またはクロミナンスチャネルは、コンテンツ制御を提供するために少なくとも１つの修正または信号挿入／追加／消去を用いて使用される。
【００７３】
次いで、本発明の別の実施形態は、（例えば、ビデオ信号に対する）修正を伴いまたは伴わずに送られ得る受信されたコンテンツ制御信号を含んでもよい。
【００７４】
本発明の別の実施形態は、コンテンツ制御システムの一部としてビデオ解像度、色調範囲、カラースペース、フィールドまたはフレームレート、ラインレート、ピクセルおよび／または時間的側面を修正することを考慮する。例えば、受信されたビデオが高品質モードで表示されるべきであるが、他の場所に分配される出力信号は制限された品質である場合。例えば、受信された信号は、さらなるビデオ動的および／または静的アーティファクトを示すより非可逆なタイプの圧縮へと圧縮される。
【００７５】
したがって、本発明の目的は、デバイスの制御における使用のためのコンテンツ制御命令を提供するために公知の信号に対して意図的に行われる修正を感知、読取、検出および／または解釈することである。
【００７６】
本発明の別の目的は、コンテンツ制御システムの少なくとも一部またはコンテンツ制御信号の一部としてビデオコピー防止強化信号または修正された信号（１つまたは複数）を含む（ために信号の数を拡大する）ことである。
【００７７】
本発明の別の目的は、コンテンツ制御方法および／または装置を提供するために別のタイプのビデオコピー防止信号（１つまたは複数）、例えば、変調された同期または擬似同期パルス、あるいはＡＧＣ（または正方向）パルス／信号のような動的に修正されたビデオ信号を含むことである。
【００７８】
さらなる別の目的は、コンテンツ制御を伝達する方法としてビデオ信号の一部に１つ以上の変化（１つまたは複数）を含むことである。例えば、水平および／または垂直帰線消去期間の１つまたは複数の部分におけるレベルおよび／または持続時間における修正は、コンテンツ制御のために用いられる。さらに、ビデオ信号の一部に追加されるあらゆる波形は、コンテンツ制御方法の一部として含まれてもよい。
【図面の簡単な説明】
【００７９】
【図１】図１は、「標準」ビデオ信号を示す。
【図２Ａ】図２Ａは、図１のビデオ信号の様々な修正を示す波形である。
【図２Ｂ】図２Ｂは、図１のビデオ信号の様々な修正を示す波形である。
【図２Ｃ】図２Ｃは、図１のビデオ信号の様々な修正を示す波形である。
【図２Ｄ】図２Ｄは、図１のビデオ信号の様々な修正を示す波形である。
【図２Ｅ】図２Ｅは、図１のビデオ信号の様々な修正を示す波形である。
【図３】図３は、本発明による機能および信号を達成するための一般的および例示的装置を示すブロック図である。図３におけるあらゆるブロックは、本発明の別々の実施形態であってもよい。
【図４Ａ】図４Ａは、本発明による「標準」ビデオ信号部分および修正されたビデオ部分のそれぞれを示す波形である。
【図４Ｂ】図４Ｂは、本発明による「標準」ビデオ信号部分および修正されたビデオ部分のそれぞれを示す波形である。
【図４Ｃ】図４Ｃは、準拠デバイスの例示的部分を示すブロック図である。
【図５】図５は、本発明のさらなる実施形態を示す波形である。
【図６Ａ】図６Ａは、検出システムまたは装置を示す。
【図６Ｂ】図６Ｂは、検出システムまたは装置を示す。
【図６Ｃ】図６Ｃは、検出システムまたは装置を示す。
【発明を実施するための形態】
【００８０】
本発明による実施形態のさらなる例は以下の１つ以上を含む。
【００８１】
Ａ）ビデオ信号の水平帰線消去期間、垂直帰線消去期間などの帰線消去期間および／またはオーバースキャン部分におけるレベルシフトされた部分を解釈、読取、感知または検出する検出デバイスまたは方法。このレベルシフトされた部分は、例えば、バックポーチ、同期パルス、カラーバーストエリアおよび／またはフロントポーチの少なくとも一部に追加または挿入される負方向および／または正方向パルス／信号／波形を含んでもよい。
【００８２】
Ｂ）検出デバイスは、特定の同期パルスに対する変化も読取、感知、検出または解釈してもよい。例えば、１つ以上の同期パルスが公知の標準信号から失われたまたは変化した場合、コンテンツ制御命令／信号は生成される。例えば、同期パルスまたは同期信号の位置、持続時間および／または振幅が変更された場合、読取または感知された同期パルスまたは同期信号のあらゆる変更はコンテンツ制御のために用いられてもよい。同様に、ＡＧＣパルスのような正方向パルスの位置、持続時間および／または振幅が変更された場合、読取または感知された正方向またはＡＧＣパルスのあらゆる変更はコンテンツ制御のために用いられてもよい。他の例としては、水平帰線消去期間における（および／または垂直帰線消去期間における）擬似同期パルス、１ラインから別のラインまたは１組のラインから別の組のラインにおいて異なる持続時間／振幅の擬似同期または水平同期パルスを読取または感知することが挙げられる。コンテンツ制御命令を提供するために広げられたまたは狭められた同期を感知することができる。２つ以上のシンクチップを含み得る切り込み同期パルスを感知することができる。異なるピーク振幅を有する２つ以上の負方向または正方向パルスを感知することができる。例えば、必ずしも同じ持続時間および／または帰線消去期間またはオーバースキャン領域におけるシンクチップ振幅またはレベルとは限らない２つ以上のシンクチップが感知される。２つ以上のシンクチップからなる波形を検出することができ、シンクチップは同期分離器によって検出されてもよく（ＵＳ特許第５，１９４，９６５号に記載されるように）、例えば、所定の持続時間の正方向パルス／信号はブランキングレベルより下とブランキングレベルより上との間のレベルにある。
【００８３】
Ｃ）検出デバイスは、ＵＳ特許第５，５８３，９３６号ならびにその継続出願および／または分割出願に記載されたような１つ以上の「強化」信号も感知、読取、検出または解釈してもよい。例えば、ＴＶラインの終わりへと向かう１つ以上の信号レベル（例えば、追加または挿入されたチェッカーパルスまたは他の信号）の感知は、コンテンツ制御のための信号として読取および／または解釈される。別の例では、コンテンツ制御システムにおける使用のための信号を提供するためにビデオ信号の一部の帰線消去／置換されたエリアは、感知、読取または解釈される。例えば、帰線消去または置換されたカラーバースト信号または同期信号などの帰線消去または置換された信号を有するラインは、コンテンツ制御信号として読取または感知される。したがって、信号（１つまたは複数）の不足は、コンテンツ制御命令（１つまたは複数）を伝達するために用いられてもよい。
【００８４】
Ｄ）検出デバイスは、ＵＳ特許公開第ＵＳ２００３／００９１３３５号ならびにその継続出願および／または分割出願に記載されたような１つ以上の「強化」信号も感知、読取、検出または解釈してもよい。例えば、ビデオ信号の一部における同期、擬似同期または生成／提供された負方向パルスの１つまたは複数の振幅拡張部分は、公知のシンクチップレベルより下のレベルにおいて感知され、次いでコンテンツ制御システムで使用される。例えば、標準同期振幅および／または標準シンクチップレベルより低いまたは高い振幅または信号レベルを有し得る異常な振幅同期／擬似同期パルスは、コンテンツ制御システムのための情報を伝達するために利用されてもよい。同様に、カラーバースト（またはＡＧＣパルス）の異常な振幅／レベル／持続時間は、コンテンツ制御システム（例えば、準拠デバイス）への命令または信号の伝達における使用のために読取および／または解釈されてもよい。
【００８５】
Ｅ）検出デバイスは、ＵＳ特許第６，８３６，５４９号に記載されたような１つ以上の信号も感知、読取、検出または解釈してもよい。本明細書中、水平および／または垂直帰線消去期間（１つまたは複数）におけるＡＧＣパルス、バックポーチパルス、正方向パルス、水平同期、等化パルス、垂直同期パルスおよび／または擬似同期パルスなどの負方向パルスに対する変調（または変化のある）効果のあらゆる組み合わせは、コンテンツ制御システムのための命令（１つまたは複数）を伝達するために１つ以上のあらゆる組み合わせにおいて用いられてもよい。変調効果は、位置、持続時間、パルス幅、ギャップ幅、周波数、時間圧縮および／または拡大および／または振幅変調を含んでもよい。変調（または変化のある）効果は、１ラインから別のライン、１フィールドから別のフィールド、１期間から別の期間および／または特定の期間内のＴＶライン期間内で生じ得る。
【００８６】
Ｆ）段落Ａ〜Ｅにおいて前述されたあらゆる信号は、コンテンツ制御システムへの入力のためのコンテンツ制御命令としての使用のために他の信号、例えば、１つ以上の制御信号／ビット、擬似同期パルス、ＡＧＣパルス、位相、周波数および／または振幅におけるカラーバースト修正、および／または水平帰線消去期間におけるＡＧＣパルスと組み合わされてもよい。したがって、コンテンツ制御システムのための情報を伝達するために余分または消去された（一部または全部）同期パルスが用いられてもよい。
【００８７】
Ｇ）データ信号、タイムコード、ＣＧＭＳ、テレテキスト、クローズドキャプション、ＶＩＴＣ、ＶＩＴＳ、ＶＩＲＳ、正方向および／または負方向信号／波形といったような波形または信号は、あらゆる組み合わせにおいて用いられてもよい（例えば、コンテンツ制御システムにおける使用のために前述された段落Ａ〜Ｆのあらゆる組み合わせを含む）。
【００８８】
Ｈ）本発明は、少なくとも１つの読取可能または解釈信号を提供、合成、処理、修正および／または生成する回路、装置または方法なども含む。
【００８９】
Ｉ）本発明は、読取器または解釈装置または方法を含む。読取器または解釈装置（例えば、感知または検出回路またはシステム）は、例えば、１つ以上の信号またはビデオ信号の修正を読み取るようにプログラミングされることが可能であるプログラム可能読取器としてインプリメントされてもよい。例えば、読取デバイスは、特定のタイプの同期パルス（例えば、擬似同期または修正された同期）を感知し、あるいは特定の周波数（例えば、サブキャリア周波数または非サブキャリア周波数）の波形などの（正常、広げられたまたは狭められた持続時間を含む設定されたパルス幅の）水平同期パルスに続く特定のタイプの信号またはビデオ信号の一部における特定のレベルを感知するようにプログラミングされる。したがって、読取器などは、ハードウェアおよび／またはソフトウェアによってプログラミングされてもよく、コンテンツ制御信号の新しいタイプの変化を更新してもよい。例えば、更新は、デジタルリンク、（例えば、格納または送信された）プログラミングファイルを介しておよび／またはハードウェア回路の設置によって提供される。したがって、本発明の一実施形態は読取器または（例えば、修正されたビデオ信号を感知、読取または検出するための）プログラム可能読取器である。
【００９０】
Ｊ）本発明は準拠デバイスを含む。例えば、準拠デバイスはレコーダ、ディスプレイ、受信器、分配システムおよび／またはディスプレイを含む。準拠デバイスは、ビデオ信号に対する修正（１つまたは複数）を読取、感知または検出し、１つ以上の信号を出力するために読取器、センサ、検出器を含む。実際の読取器などは、ハードワイヤードおよび／またはプログラム可能であり、回路に埋め込まれ、および／またはプログラミングおよび／または（例えば、バーンされた(burned)または飛ばされた(blown)）リンクを介して使用不能化または使用可能化されてもよい。さらに、読取器などは、例えば、記載されたような集積回路の中に埋め込まれた発明である。上述したように、「本発明は、電気的消去線(electrically erasing line)、電子的接続線(electronically connecting line)および／またはプログラミング方法（１つまたは複数）のような任意の手段による活動化または非活動化の性能を有する集積回路（ＩＣ）またはデバイスの中に埋め込まれてもよい。したがって、本発明は集積回路のプロセシングを含み、修正（１つまたは複数）または波形（１つまたは複数）を提供する１つ以上の回路またはシステムの使用にも関わらず、１つ以上の修正または波形をビデオ信号に提供する回路網が存在する。未使用バージョンは、例えば、プログラム制御、非動作のための１つ以上のパワー／制御／信号ライン（１つまたは複数）の設定、および／または使用可能なリンク（１つまたは複数）の使用可能化または使用不能化による意図された機能の電気的使用不能化を含んでもよい。」
【００９１】
Ｋ）本発明は、（信号）修正器および／または信号生成器を有する準拠デバイスを含む。信号修正器は、ビデオおよび／またはオーディオ信号あるいは送信された信号の品質を変化し得る。例えば、信号修正器は、ＴＶラインの数を減少または増加させ、あるいは帯域幅、解像度または示されるエリア（例えば、部分的またはピクチャの一部）を減少させる。オーディオ品質は影響される場合がある（例えば、ビデオ信号の１つ以上の修正を感知した場合、またはコンテンツ制御信号を感知した場合）。例えば、信号修正器は、コンテンツ制御信号を読み取り、前述した例を信号修正器に提供する信号を出力する。信号修正器の別の例は、コンテンツ制御信号（１つまたは複数）を用いたビデオの変調または入ってくるビデオ信号の変更である。例えば、修正器は１つ以上のコンテンツ制御信号を除去／減衰／強化／変更し、および／または信号（１つまたは複数）を追加または挿入する。信号生成器は、デフォルトによってまたは修正されたビデオ信号の存在を感知することによってコピー防止信号、コピー防止強化信号またはコピー防止情報信号を追加または挿入してもよい。例えば、修正されたビデオ信号は、ビデオ信号（例えば、前述された任意のもの）の一部に提供された１つ以上の波形、信号またはレベルを含む。
【００９２】
Ｌ）本発明は、ビデオ信号の黒フレームにコンテンツ制御のための信号の符号化を有する一実施形態を含んでもよい。そのような黒フレームは、例えば、色あせたまたは黒にカットされた、あるいはレターボックスにおいて黒またはグレイ部分であるシーンに存在する。例えば、様々なグレイレベルおよび／またはカラー信号（またはウォーターマーク信号）は、１つ以上のコンテンツ制御信号または命令を伝達するために黒フレーム、レターボックスまたはオーバースキャンエリアの１つ以上の部分に追加または埋め込まれる。
【００９３】
前述した段落Ａ〜Ｌの概念のあらゆる組み合わせは、構成可能またはプログラム可能であり、および／または本発明の一実施形態を構成してもよい。
【００９４】
本発明は、以下のデバイス（または準拠デバイス（１つまたは複数））またはそれらのあらゆる組み合わせを含んでもよい：ディスプレイ、トランシーバ、送信器、オーディオデバイス、コンピュータ、レコーダ、プレーヤー、ＤＶＤプレーヤーおよび／またはＤＶＤレコーダ、磁気媒体レコーダ、磁気媒体レコーダ、光媒体プレーヤー、光媒体レコーダ、セットトップボックス、電話、携帯電話、固体メモリプレーヤーおよび固体メモリレコーダ、無線デバイス（例えば、受信器、レコーダ、ディスプレイおよび／またはプレーヤーを含む無線デバイス）、インターネットアクセス、サテライトアクセス、ケーブルアクセス、ブロードキャストアクセス、ネットワークアクセス、ＷＩＦＩアクセス、ＷＩＭＡＸアクセス、光アクセス、無線アクセスおよび／または有線アクセス（これらは前述のあらゆる信号修正を含んでもよい）。
【００９５】
ビデオ規格に関して、本発明はビデオ信号のスケーリングまたはトランスコーディングの使用を含む。本発明は、プログレッシブスキャン、インターレース、コンポーネント、色差、輝度、ＲＧＢ、コンポジット（例えば、ＰＡＬおよび／またはＮＴＳＣ）、低下した解像度（または標準解像度）および／または高められた解像度基準（これらは前述のあらゆる信号修正を含んでもよい）を含んでもよい。
【００９６】
本発明は、あらゆる圧縮処理（例えば、ＤＣＴ、小波、ＰＣＭおよび／または任意のＭＰＥＧ規格）を含んでもよい。
【００９７】
本発明は、１つ以上のコピー防止信号、１つ以上の修正および／または追加された信号を読み取ることを含み、および／またはビデオ信号を生成、供給、あるいは古いまたは新しい修正をビデオ信号に提供するようにビデオ信号を処理することを含んでもよい。新しい修正は、異なるコピー防止情報信号および／または新しいコピー防止信号および／またはスクランブリング／暗号化／ウォーターマーキングを含んでもよい。例えば、入ってくるビデオ信号は、擬似同期および／またはＡＧＣパルスを含み、擬似同期パルスを読み取った後、ＡＧＣパルスが選択された狭められた同期パルスのうちの１つ以上に続く選択された狭められた、例えば、水平および／または垂直同期パルスからなる新しい同期信号が（例えば、出力において）提供される。同様に（またはその逆）、１つ以上のＡＧＣパルスおよび１つ以上のパルス対を形成するために関連のＡＧＣパルスを有し得る擬似同期パルスが後に続く狭められた水平同期パルスを有するビデオ信号は、準拠デバイスによって読み取られるコンテンツ制御信号であってもよい。擬似同期パルスを読み取った際、準拠デバイスは同期狭めを伴わずに信号を提供し、かつ１つ以上の擬似同期ＡＧＣパルス（例えば、修正された振幅、位相および／または周波数の１つ以上の修正されたカラーバースト信号）および／またはＡＧＣパルスを選択されたＴＶラインにける水平帰線消去期間の一部に提供してもよい。読取ビデオ信号上の１つ以上の選択された水平帰線消去期間における１つ以上の正方向パルスの配置（１つまたは複数）は準拠デバイスの供給信号と異なる場合があることに留意されたい。例えば、準拠デバイスの入力に結合された信号は、水平帰線消去期間（ＨＢＩ）および垂直帰線消去期間にＡＧＣパルスを有するが、準拠デバイスは異なる組のまたは異なって配置されたＨＢＩのＡＧＣパルスを出力する（またはその逆）。本明細書中の一般的な例では、デバイスはコピー防止信号「Ａ」を読み取り、コピー防止信号「Ｂ」を出力する、またはその逆である（ここで、コンテンツ制御および／またはコピー防止信号Ａ＝Ｂ、またはＡはＢと等しくない、Ａおよび／またはＢの一部または全部）。
【００９８】
本発明は、例えば、受け取った料金に基づいてサブスクライバネットワークおよび／またはビデオまたはコンテンツを含んでもよく、ユーザは支払いのためにコンテンツプロバイダと通信する。
【００９９】
本発明は、ソフトウェア、デジタルおよび／またはアナログインプリメンテーションを含んでもよい。例えば、プログラミング装置は、ビデオ信号の修正および／または修正された信号（例えば、コンテンツ制御信号、コピー防止信号、コピー防止強化信号またはビデオ信号のレベルシフトされた部分）の感知または読取に含まれる。
【０１００】
本発明は、オーディオ信号、データ信号、ビデオ信号および／または無線周波数信号を含んでもよい。一実施形態は、ビデオ信号の１つ以上の部分を除去および／または減衰することを含んでもよい。
【０１０１】
ここで図を参照すると、図１は水平帰線消去期間（ＨＢＩ）２０を含む「標準」または「正常」ビデオ信号、ならびに番号２２で示される「標準」または「正常」同期信号を示す。
【０１０２】
図２Ａは、同期信号２２に続く自動利得制御（ＡＧＣ）信号２４によるビデオの修正を示す。ＡＧＣ信号２４は、一般に、一部のコンテンツ制御システムで使用されている。
【０１０３】
図２Ｂは、狭められた同期パルス２６を有するビデオ信号の修正を示す。コンテンツ制御目的のために狭められた同期パルス２６を感知することができる。さらに図に示されているものは、任意の自動利得制御信号ＡＧＣ２８であり、これはコンテンツ制御目的のために感知することができる。あるいは、ビデオ信号は、１つ以上の擬似同期および／またはＡＧＣパルスと組み合わされてもよい狭められた同期パルス２６および／またはＡＧＣ信号２８を含んでもよい。例えば、準拠デバイスは、１つ以上の擬似同期および／またはＡＧＣ信号を感知する。１つ以上のコンテンツ制御命令の場合、信号２６および／または２８は無視されてもよい。同期パルス２６および／またはＡＧＣ信号２８をＨＢＩ（２０、図１）に設け、そのいずれかまたは両方をコンテンツ制御目的のために利用してもよいことに留意されたい。さらに、ＨＢＩ２０の持続期間は変化してもよい（例えば、より広幅または狭幅、あるいは正常な持続期間）。
【０１０４】
図２Ｃは、図１のビデオ信号の修正を示し、ここでは多重シンクチップ信号３０がＨＢＩ（２０、図１）に設けられている。シンクチップまたはパルス３２および３４はシンクチップレベルまたは振幅で（必ずしも）一致する必要はないが、一致してもほぼ一致してもよい。一例においては、シンクチップは同期分離回路によって感知されるレベルに提供される。シンクチップまたはパルス３２および３４は、３６のような正方向パルスを有する「切り込み」パルスを形成してもよい。パルス３６は、同期分離器検出閾値より上、および／またはブランキングレベル３９より下または上のレベルにあってもよい。正方向信号またはパルス２８’は（信号）３２の後に提供されてもよい。
【０１０５】
図２Ｄは、期間Ａ〜Ｋに分けられたＨＢＩを示す。正方向または負方向のあらゆる信号またはレベルシフトが１つ以上の期間で行われてもよい。さらに、ＨＢＩ内またはその付近の１つまたは複数のエリアを画定するためにさらに多いまたは少ない期間が用いられてもよい。したがって、レベルの修正は、例えば、フロントポーチエリア３８、同期エリア４０および／またはバックポーチエリア４２（例えば、任意の期間（１つまたは複数）Ａ〜ＫまたはＡ０〜Ａｎ（０〜ｎ期間）において）内で行われてもよい。あるいは、修正は、ビデオラインのアクティブ部分のような他のエリア（１つまたは複数）で行われてもよい。さらに、修正は、オーバースキャンエリア、垂直帰線消去エリア、あるいは垂直および／または水平帰線消去期間の付近で行われてもよい。したがって、図示された期間Ａ〜Ｋは拡大、縮小、および／または再位置付け／再配置されてもよい。
【０１０６】
図２Ｅはビデオ信号に対する修正の別の例を示し、ここでは同期パルス４４の少なくとも一部はパルス幅、パルス位置および／または振幅修正（例えば、変調）を示すことができる。図２Ｅは、フロントポーチ領域４６の一部へのレベルシフト（矢印４８）および／またはバックポーチ領域５０の一部におけるレベルシフト（矢印５２）を含んでもよい。図２Ｅは、同期信号または同期パルス４４の一部のレベルシフト（矢印５４）を含んでもよい。レベルシフトは負または正であってもよい。図２Ｅまたは図２Ｄに示される同期パルスは水平同期パルスの一例であるが、（レベルシフトのような）同様の修正（１つまたは複数）が関連の帰線消去期間（１つまたは複数）あるいはその付近における垂直および／または等化パルス（１つまたは複数）に対して行われてもよい。シフトが変調を含んでもよいことに留意されたい。変調の一例としては、レベルのシフトの時変効果(time varying effect)が挙げられる。図示された期間４４、４６および／または５０（またはその中の信号）は拡大、縮小、および／または再位置付けまたは再配置されてもよい。
【０１０７】
図２Ｅは、１ＴＶラインから別のＴＶラインでは同期パルスの立ち上がりエッジ５６および／または立ち下がりエッジ５８の位置が変更してもよいことを示すこともできる（それぞれ矢印６０および６２）。図２Ｅは、１ＴＶラインから別のＴＶラインでは同期信号または同期パルスの持続期間またはパルス幅が変更してもよいことをさらに示す。図２Ｅは、１ＴＶラインから別のＴＶラインでは同期パルスのシンクチップレベルが変更してもよいことも示す（矢印５４）。図２Ｅは、１ＴＶラインから別のラインへの同期信号または同期パルスに対しては、パルス幅、パルス位置、エッジ位置、シンクチップレベルおよび／または振幅における変化が起こり得ることを示す。これらのあらゆる修正または変更は、コンテンツ制御システムにおける使用のために感知、読取、検出および／または解釈することができる。
【０１０８】
同期パルスの一部は、シンクチップの一部に追加された波形を含んでもよい。この波形は周期的、非周期的および／または変調された波形を含んでもよい。
【０１０９】
一例として、ＵＳ特許第５，５８３，９３６号の図３２ａは、ビデオ信号の一部に追加された約０．１〜５ＭＨｚの波形（または他の周波数（範囲）の波形）を示す。この波形は、ビデオ信号の任意の部分、例えば、部分(または全)シンクチップ（垂直同期パルスチップおよび／または水平同期パルスチップ）、帰線消去期間、および／または選択されたビデオラインに広く追加されてもよい。この波形の例の少なくとも一部を感知することはコンテンツ制御システムで利用されてもよい。あるいは、１００ＫＨｚ〜５ＭＨｚの間の周波数を有するこのタイプの波形は、垂直同期信号またはオーバースキャンエリアの一部といったようなビデオ信号の一部に挿入され、ＡＧＣパルスおよび／または擬似同期パルスと組み合わされてもよい。準拠デバイスまたは読取器は、波形、ＡＧＣパルスおよび／または擬似同期パルスのあらゆる組み合わせを感知（または無視）してもよい。例えば、準拠デバイスまたは読取器は、波形（例えば、約１００ＫＨｚ〜５ＭＨｚの範囲内の周波数を有する波形）を無視し、擬似同期および／またはＡＧＣパルスを感知する（またはその逆）。
【０１１０】
別の例では、ＵＳ特許第５，５８３，９３６号の図４３ｇはアクティブビデオラインおよび同期パルスの双方に適応できる別の例を示す。この例では、１つ以上の正のサイクルパルスがシンクチップエリアおよびビデオ信号の一部に追加／挿入される。あるいは、正および負のサイクルからなる波形は選択されたシンク（チップ）、例えば、選択された垂直同期パルス（１つまたは複数）および／または選択された水平または等化パルス（１つまたは複数）に挿入または追加されてもよい。波形または（システムに対する）その影響は、コンテンツ制御システムの少なくとも一部における使用のために感知、読取または解釈することができる。
【０１１１】
狭められたおよび／または広げられた垂直同期パルスなどの狭められたおよび／または広げられた同期パルス、あるいは水平または等化パルスをコンテンツ制御システムにおける使用のために読取または解釈することができる。同様に、垂直同期信号における切り込み(serration)の除去は、コンテンツ制御システムにおける使用のために読取または解釈することができる。
【０１１２】
図３は、選択された入力信号、例えば、入力１０１におけるビデオ、オーディオ、データ、ＲＦ等の信号を受信し、修正を生成またはビデオ信号に提供する修正回路１００の一例を示す。ここでは修正はコンテンツ制御命令として感知、読取、検出または解釈される。例えば、修正回路１００は選択された波形および／またはビデオ信号の一部の置換を提供または生成する。回路１００（または入力信号１０１）は、前述した（または後述する）あらゆるまたは全ての信号および／または修正を含んでもよい。回路またはシステム１００は別個の独立型プロセッサ（例えば、修正されたビデオ信号を提供する）であってもよい。読取器１０２（リード１１４を介して）および／またはデバイス１０４（リード１１２を介して）は、点線で示されるように入力信号ソース１０１に結合されてもよい。例えば、信号１０１は、前述した（または後述する）あらゆるまたは全ての信号および／または修正および／または弱められたコピー防止信号を含み得るデジタルおよび／またはビデオ信号ソースである。
【０１１３】
さらに、図３に示されているものは、入力信号（１０１）、修正回路１００またはデジタルおよび／またはビデオ信号によって供給される信号（デジタルおよび／またはアナログ）の１つ以上の修正を感知、読取、検出または解釈するセンサ、読取器、検出器または解釈回路(interpreter circuit)１０２である。センサ／読取器／検出器／解釈回路１０２は、信号に対する１つ以上の修正の読取または感知に基づいて（符号化／スクランブルされてもされなくてもよい）信号を生成または提供してもよい。回路１０２の出力は点線１０６によって示されるようにデバイス１０４に結合されてもよく、または命令制御回路１０８を介してデバイス１０４に結合されてもよい。デバイス１０４は次いで、任意の数の状態（１つまたは複数）、機能等を行うように回路１０２または回路１０８の出力に応答し得る。状態または機能の一例としては、表示をしない、記録をしないまたは信号を受信しないことが挙げられる。状態の別の例としては、デバイス１０４がその出力１０９のうちの１つにおいてコピー防止信号、コピー防止情報信号、認可／非認可受信信号、認可／非認可表示／送信信号および／または修正信号を提供することである。デバイス１０４からのこれらの出力のうちの１つは、ネットワークまたはシステム１１０に結合されてもよい。システム１１０は、読取器、センサ、検出器またはインタプリタを含み得る準拠デバイスであってもよい。入力信号１０１および／または修正回路１００出力は、点線１１２および１１４によってそれぞれ示されるようにデバイス１０４および／または１０２に供給され、検出、読取またはコンテンツ制御のために修正信号（１つまたは複数）を提供してもよい。
【０１１４】
図３は、本発明の実施形態とみなされ得る回路の様々な組み合わせを示す。
【０１１５】
図４Ａは、Δｔの持続期間を有する水平同期１３２、および黒またはブランキングレベル１３０を有する「標準」ビデオ信号部分を示す。さらに、正方向パルス１３４および負方向パルス１３６からなる垂直同期信号が示される。負方向パルス１３６は、典型的には、同期１３２の標準シンクチップレベル（例えば、−４０ＩＲＥまたは−３００ｍｖ）のシンクチップレベルを有する。
【０１１６】
図４Ｂは信号に対する修正を示し、ここで波形は、図４Ａの負方向パルス１３６のチップエリアの少なくとも一部に挿入または追加された正のパルス１３８および負のパルス１４０からなる。波形の振幅が水平同期１３２のシンクチップレベル（例えば、正常または標準シンクチップレベル）の下または上の負方向パルス１４０を有してもよいことに留意されたい。さらに、正方向パルス１３８は、ブランキングまたは黒レベル１３０より上または下であってもよい。波形は１００ＫＨｚ〜５ＭＨｚの間の周波数（あるいは、対称デューティサイクルを有するまたは有さない、ＤＣ〜３０ＭＨｚといったような他の範囲の周波数）を有してもよい。波形は、帰線消去期間、オーバースキャンエリア、あるいはアクティブラインまたはフィールドの少なくとも一部といったようなビデオ信号の別の部分に挿入されてもよい。波形は修正または変調されてもよい。例えば、正方向または負方向パルスまたは部分のレベルは上がっても下がってもよい。あるいは、例えば、信号１４０または１３８のレベルは（上および／または下に）変更されてもよい。波形は、パルス振幅変調（例えば、負のピークまたは正のピークにおいて、あるいは正および負のピーク値の間のどこかで回転される）、振幅変調、周波数変調、変調なし、ＤＣオフセット（例えば、あるライン期間または区間に渡って）、変化するＤＣオフセット（例えば、ある期間または区間に渡って）および／または位置変調を含んでもよい。波形は、ＴＶフレームまたはフィールドの選択されたラインにおけるＴＶラインのアクティブ部分またはオーバースキャンエリアに追加、挿入または提供されてもよい。
【０１１７】
図４Ｂは、垂直同期信号または垂直同期パルス（１つまたは複数）の少なくとも一部に擬似同期パルスを追加していると解釈することができる。
【０１１８】
図４Ｃは、図３で言及されたデバイス（１０４、１１０）のうちの１つの例示的部分を示す。ビデオ信号のような信号に対する修正は、入力１５０を介してブロック１５２で表される制御回路またはＮゼロレジスタにデータを入力することによって提供される。回路１５２の出力は、１６０において出力を提供するプロセッサ１５４に結合される。波形生成器またはプロバイダ１５６は、１６２において出力を提供する修正回路１５８に結合される。生成器／プロバイダ１５６から受信される波形を修正するようにまたは修正しないように選択されてもよいことに留意されたい。前述したように、修正回路１５８は何らかの形の信号の変調を含んでもよい（ゼロ変調も含んでもよいことに留意されたい）。点線１６４によって示されるように、出力１６２はプロセッサ１５４に供給されてもよい。出力１６０におけるプロセッサ１５４の出力信号は、ビデオ信号の一部を帰線消去し、負方向信号（１つまたは複数）を追加／挿入し、正方向信号（１つまたは複数）を追加／挿入し、信号（１つまたは複数）を変調し、１つ以上の信号の少なくとも一部を消去し、カラーサブキャリア信号（１つまたは複数）を修正し、カラーまたはコンポーネント信号（１つまたは複数）を修正し、コピー防止信号（１つまたは複数）を追加または挿入し、コピー防止またはコンテンツ制御信号（１つまたは複数）を追加または挿入し、「強化」（例えば、コピー防止）信号（１つまたは複数）を追加または挿入し、および／またはビデオ信号の少なくとも一部を修正する（例えば、スケーリング、ペダスタル、フレームレート、フィールドまたはフレーム内のＴＶラインの数、圧縮、圧縮解除等する）ために提供されてもよい。
【０１１９】
さらなる別の実施形態の群では、ギャップ電圧がブランキングレベルに通常設定される新しい波形は、コピー防止におけるさらなる有効性のためにより高いレベルにされてもよい。ギャップ持続時間（擬似同期とＡＧＣパルスとの間）の少なくとも一部におけるこの変化は、基本的なコピー防止信号も強化する。擬似同期ＡＧＣプロセスの有効性は、ギャップの少なくとも一部のレベルを変更することによって制御または変化できる。１つの理由としては、ビデオ装置、ＶＣＲまたはＡＧＣシステムにおけるサンプリング回路は時々遅延（例えば、伝播ゲート／スイッチング遅延）を有し、あるいは同期または擬似同期パルスを感知した後に予定していたものより長いサンプリングパルスを有するからである。同期または擬似同期パルスに続くＡＧＣパルスがサンプリングパルスより狭幅であった場合、サンプリングパルスはＡＧＣパルスをギャップエリアの一部として感知する。ギャップエリアは典型的には黒レベルに設定されているため、サンプリングパルスがギャップエリアへと延在した場合、ＡＧＣパルスの有効性は多少減衰される。したがって、ギャップまたはギャップの一部の上昇または低下は、コピー防止効果あるいはＶＣＲ、レコーダまたはＡＧＣシステムの有効性を上げ、または下げることができる。ギャップの少なくとも一部が動的効果を起こすために変調されてもよいことに留意されたい。さらに、例えば、ＡＧＣパルス（１つまたは複数）は、ギャップの前に変調される（例えば、同様または同様ではない方法で）。
【０１２０】
図５は、１つ以上のギャップ期間１７０または１７２の少なくとも一部のレベルにおける変化の一例を示す。擬似同期パルス１７４が示されており、水平同期のような同期信号は１７６として識別される（様々なまたは固定の振幅、位置および／またはパルス幅同期パルスが用いられてもよい（例えば、図２Ｂ〜図２Ｅ））。ギャップ期間１７０および１７２のギャップ持続時間は、正方向信号１７８の後の期間として示される。期間１７０および１７２のあらゆる部分のレベルは異なってもよい（例えば、静的または動的）。例えば、高い有効性のためには、期間１７０の持続期間の第１小部分は、正方向信号１７８のピーク値より低い、等しい、または大きい値に高められてもよい。この第１小部分はギャップ期間内に位置付けされてもよいことに留意されたい。ギャップの上昇した（または低下した）部分の振幅、幅および／または位置は異なってもよい（例えば、コピー防止効果（１つまたは複数）あるいは有効性を変更するために）。ギャップ期間１７０および１７２は、「ｎ」個のセグメントに分かられてもよい。１つ以上のセグメントは、選択された電圧レベルを持っていてもよい。
【０１２１】
本発明の一群の実施形態の幅広い観点においては、レベルシフト、同期修正、同期またはＡＧＣパルスの変調、ＨＢＩ内の不正確な周波数および／またはＨＢＩ／ＶＢＩ修正のような（ここで規定されている）強化修正は、コンテンツ制御システムにおける使用のためにコンテンツ制御信号を感知、読取または検出する目的のために別々にまたはビデオ信号と組み合わせて用いられてもよい。
【０１２２】
さらなる群の実施形態では、任意の１つの強化修正またはその組み合わせは、擬似同期／ＡＧＣパルスおよび／または１つ以上の帰線消去期間（例えば、１つ以上の水平帰線消去期間）におけるＡＧＣパルスのようなＡＧＣ効果をもたらすコピー防止信号、あるいはクロマ効果（例えば、１つ以上の水平帰線消去期間における不正確なカラー信号）をもたらすコピー防止信号と組み合わされてもよい。この実施形態の群では、合成されたビデオ信号は、合成されたコピー防止信号を提供するために１つ以上の強化信号の例および１つ以上のコピー防止信号を含む。準拠デバイスまたはコンテンツ制御システムは、コピー防止信号（１つまたは複数）（および／または１つ以上の強化信号）のあらゆる組み合わせを読取または解釈する。この例では、読取器、センサまたは検出器はあらゆる強化信号（１つまたは複数）を無視し、コピー防止信号（例えば、擬似同期パルス（１つまたは複数）および／またはＨＢＩ  ＡＧＣパルス（１つまたは複数））の少なくとも一部を読取、感知または検出してもよい。あるいは、読取器、センサまたは検出器は１つ以上の基本的なコピー防止コンポーネント（例えば、擬似同期またはＡＧＣパルス）を無視し、１つ以上の強化信号（例えば、不正確なカラー周波数、１つ以上の狭められた同期、修正された同期、修正されたＨＢＩまたはＶＢＩ持続期間および／または３２ＫＨｚ〜３０ＭＨｚ（または１００ＫＨｚ〜５ＭＨｚ）の範囲内の波形）を読取、感知または検出してもよい。読取器、センサまたは検出器システムは、基本的なコピー防止信号および／または強化信号のあらゆるコンポーネントのあらゆる組み合わせを読取、感知または検出してもよい。
【０１２３】
別の群の実施形態は、読取器、センサまたは検出器システムのプログラム性を含む。このため、ビデオ信号に設けられてもよい新しいコンテンツ制御波形（１つまたは複数）は、あらゆるコンテンツ制御波形を許容または解釈するように読取器、センサまたは検出器をプログラムすることによって読取、感知または検出できる。読取器、センサまたは検出器のプログラミングは、更新ファイルまたは命令によって行われてもよい。ファイルは、メモリを介してまたは送信によってダウンロードまたはロードされてもよい。上述の異なるビデオ信号追加または修正は、多数の回路を表し得る。本発明の一実施形態は、コントロールビットまたはプログラミングビット、あるいはプログラミングファイルを介して１つまたは複数のタイプの検出器に構成されてもよいプログラム可能検出器を提供する。このプログラミング能力は、例えば、上述の多数の修正を検出するための柔軟性を加えるが、ビデオ信号において新しく与えられた変化を検出するためにアップグレード能力の特徴も加える。例えば、上述のあらゆる修正は、周波数、振幅、位置、配置、レベル、幅などのパラメータを変更してもよい。プログラム可能検出器は、現行または未来のコンテンツ制御信号（１つまたは複数）、信号修正、あるいはビデオストリームまたは信号における埋め込まれた信号へのパラメータ変更を考慮することができる。構成ビットは、送信、格納デバイスあるいはシステムオペレータまたは消費者によって提供されてもよい。例えば、新しいタイプのコンテンツ制御信号が検出のために追加された場合、ユーザは最初にビデオ信号を受信、記録または見るためにコードまたはビット（１つまたは複数）を入力する必要がある。次いでこのコードは、ＡＣＰ生成器またはビデオ信号修正器および／またはプログラム可能検出器を構成してもよい。
【０１２４】
図６Ａは、検出器２００が第１入力源２０１からコントロールビット（１つまたは複数）および第２入力２０２から（アナログおよび／またはデジタル）ビデオ信号を受信するようにプログラム可能である、本発明の一実施形態を示す。例えば、第１入力２０１は、アナログまたはデジタルビデオ信号への１つ以上の修正に対して検出器をプログラムするために構成および／またはモードビットを受信する。次いで、出力２０３はビデオ信号への１つ以上の修正を示す出力信号を生成する。出力２０３は、感知または読み取られた修正の組み合わせから１つ以上のタイプの信号を生成するようにマッピングされてもよい。
【０１２５】
同様に図６Ｂでは、制御および／またはモード信号（例えば、ビット）は入力２０４にてビデオストリーム（アナログまたはデジタル）において組み合わされ、それによってビデオ信号への様々な修正を感知し、出力２０５を提供するように検出器２１０を構成する。例えば、修正は、追加の信号、同期、バースト、アクティブビデオなどのビデオ信号の１つ以上の部分の少なくとも部分的な消去、および／またはＴＶ規格のスケーリングを含むこと、ビデオ信号の一部を別の配置へと移動すること、あるいは前述の他の例に規定されてもよいが、それらに限定されない。
【０１２６】
図６Ｃは、プログラミング信号（１つまたは複数）を受信し、またはプログラム信号（１つまたは複数）をプログラム可能検出器（例えば、検出器２００および／または２１０）に提供する１つ以上の例を示す。例えば、受信デバイス２２０（例えば、セットトップボックス、携帯電話、無線デバイス、光学デバイスなど）は、出力２２１を介して検出器（例えば、２００または２１０）をプログラムするために入力２２２の制御および／またはモードビットを提供する。別の例では、出力２３１を介して検出器をプログラムするために入力２３２を介して制御および／またはモードビットを提供するためにメモリデバイス２３０が用いられてもよい。例えば、メモリデバイスは、送信を介して別の格納デバイスから、または予めプログラムされたデバイスからデータを受信してもよい。メモリデバイス２３０がディスク（例えば、ＤＶＤ、ＣＤ、ハードドライブ格納媒体、光学および／または磁気）、メモリユニット（例えば、ハードドライブ、固体メモリ、フラッシュメモリ）、またはテープへの格納を介して検出器のためのプログラミング（データ）を提供できることに留意されたい。図６Ｃでは、ブロードキャスト、サテライト、ケーブル、無線、デジタルおよび／またはインターネット（入力２４２）から発生することができるリンク２４０も出力２４１を介して検出器をプログラムするために構成、制御および／またはモードビット（１つまたは複数）を提供する。構成がモードおよび／または制御、またその逆として規定されてもよいことに留意されたい。
【０１２７】
図６Ｃにおける１つ以上の例は、単独でまたは組み合わせにおいて結合されてもよく、および／または図６Ａおよび／または図６Ｂの検出器２００、２１０に結合されてもよい。点線２２２は、受信器２２０がワイヤレスネットワーク、アンテナ、ファイバ、ケーブルなどを介して（モードおよび／または構成）信号を受信し得ることを示す。同様に、メモリ２３０への点線２３２は、メモリ２３０が（例えば、モードおよび／または構成のための）外部ソース、別のメモリデバイス、受信デバイスなどによって書き込まれてもよいことを示す。リンク２４０の点線２４２は、光学、有線、インターネット、無線、アナログおよび／またはデジタル通信またはデータ（伝達）システムからのモードおよび／または構成データであってもよい。（例えば、読取、感知または解釈のための）プログラム可能検出器に結合される信号のタイプの例としては、段落Ａ〜Ｌ、１〜２６、および／または１つ以上の援用された特許、刊行物または出願で言及された１つ以上の信号を含む（しかし、それらに限定されない）。
【０１２８】
あらゆる弱められたまたは修正されたコピー防止信号が（基本的なまたは他の）コピー防止信号（例えば、選択された水平帰線消去期間における擬似同期およびＡＧＣおよび／またはＡＧＣパルス）と組み合わされて用いられてもよいことに留意されたい。例えば、弱められたカラーストライプ信号は、ＶＣＲ内で減衰を引き起こす基本的なコピー防止信号と組み合わされてもよい。あるいは、コンテンツ制御信号は、弱められたまたは弱められていないコピー防止信号（例えば、カラーバースト修正、強化信号、ＡＧＣ信号、擬似同期信号、修正または狭められた同期信号、帰線消去期間におけるＡＧＣパルスなど）のあらゆる組み合わせを含んでもよい。図２Ａ、図２Ｂ、図２Ｃ、擬似同期、水平同期、カラーバースト修正および／またはＡＧＣ信号によるあらゆる組み合わせの任意の弱められたバージョン（例えば、弱められたバージョンは、正方向パルスの減少された振幅および／または幅、シフトまたは引き離された負方向および／または正方向パルス、および／またはより少ない正および負方向パルスを含む）はコンテンツ制御システムとして用いられてもよい。一例として、弱められたバージョンとは、ＶＣＲに対して低下した有効性を有するが、検出可能であり、あるいは減少したＡＧＣパルスによる暗色化（例えば、図２Ａ〜図２Ｃまたは上述した他の特許における）、ディスプレイ上の減少したカラーアーティファクト（例えば、カラーバースト修正）または（例えば、負方向パルスからの）減少したスキャンエラーといったような改善された再生性能を有する信号を意味することができる。弱められたバージョンの信号は、コンテンツ制御および／またはコピー防止のために任意の弱められていない信号と組み合わされてもよい。
【０１２９】
弱められたカラーストライプ信号の一例としては、同期信号の後に修正された位相の少なくとも１つのサイクルを配置し、それに続いて選択されたラインに対して実質的に正常な位相の複数のサイクル（例えば、Ｎラインに１、Ｍラインに２など）を配置することである。（例えば、検出または準拠デバイス（１つまたは複数）あるいはコンテンツ制御のための）弱められたカラーストライプ信号の他の例は、実質的に正常な位相のサイクルを有する水平同期パルスの後の他のエリアに修正された位相の１つ以上のサイクルを配置して必要に応じて「埋める」。したがって、修正された位相のサイクル（１つまたは複数）は、同期の立ち下りエッジとアクティブビデオラインの始まりとの間のあらゆる箇所に配置または設けられてもよい。水平帰線消去期間は調整されても、またはその持続期間は変更されてもよいことに留意されたい。図示例は、選択された水平帰線消去期間（１つまたは複数）における少なくとも２ｕｓｅｃｓ（例えば、３．６〜５．１ｕｓｅｃｓ）の修正されていない位相サブキャリア信号が後に続く１．６ｕｓｅｃｓより少ない（例えば、約９００ｎｓｅｃｓ〜１１００ｎｓｅｃｓ）修正された位相サブキャリア信号を有してもよい。別の図示例は、修正された位相サブキャリア信号の１〜４（またはそれ以上）のサイクルを有し、それに続いて実質的に正常な位相サブキャリア信号を有してもよい。これらのあらゆる例または弱められたコピー防止信号（例えば、カラーストライプ、ＡＧＣ、擬似同期など）は、コピー防止として効果的である場合とない場合がある改善された再生性能信号を表す。弱められたコピー防止信号に関する１つ以上の場合においては、有効性は少なくとも減少される。別の例には、より少ないラインのカラーストライプ、ＡＧＣパルスおよび／または擬似同期パルスといったように、より少ないコピー防止波形が設けられてもよい。別の実施形態は、垂直帰線消去期間内および／またはその付近（例えば、オーバースキャンアクティブライン）に任意の形態のカラーバースト修正を提供することを含んでもよい。別の実施形態は、例えば、（カラーストライプ）信号を弱くするためにどのカラーストライプ信号の一部の振幅でも制御することを含む。（改善された再生性能、低下した有効性および／または検出のための）一例としては、修正された位相が存在する部分では、かかる修正された位相（または周波数）部分の少なくとも一部の振幅は減少される（または上昇される）。
【０１３０】
弱められたカラーストライプ信号のさらなる別の実施形態は、不正確な位相または周波数のサイクルを水平同期パルスの立ち下がりエッジから離れて、またはアクティブラインの始まりにより近くに追加または挿入する。例えば、少なくとも１または２サイクルはバックポーチ期間の後方部分にある、または追加される。１つ以上のＴＶまたはＶＣＲセットは、通常、バックポーチエリアの始まりから中間部分をカラー復調またはカラーサブキャリア基準のためにサンプリングする。バックポーチエリアの始まりおよび／または中間部分（１つまたは複数）から離れて不正確な信号を挿入または追加することによって、不正確な信号は感知されないか、または実質的に感知されない。不正確な信号を感知しないまたは実質的に感知しない（例えば、バックポーチ期間の後方部分に配置されたサイクルを介して）ことによって、ＶＣＲまたはＴＶセットに対する改善された再生性能が提供される。
【０１３１】
さらなる別の実施形態では、（修正された位相および／または周波数の）弱められたカラーストライプ信号には以下の：フロントポーチの低下された部分、バックポーチの低下された部分、アクティブフィールドの低下された部分のうちの１つ以上のようなビデオ信号の低下された部分が提供されてもよい。さらなる別の実施形態は、ＨＢＩまたはＶＢＩにおけるＡＧＣパルス（例えば、バックポーチパルスおよび／またはＡＧＣ／擬似同期パルス）といったように、ＡＧＣシステムまたはＶＣＲに対して減衰効果をもたらす信号を挿入または追加する。これは次いで、バックポーチ期間の後方部分に挿入または追加される修正されたカラーバーストが感知されないまたは、例えば、通常にサンプリングされたカラーバーストと比較してあまり感知されないように早期のスキャンまたは早期のカラーバーストサンプルという減衰された状態下（例えば、ＶＣＲおよび／またはＴＶセットから）を引き起こす。例えば、感知されないまたはあまり感知されない修正されたバーストは、改善された再生性能を提供するか、あるいはカラーバースト修正（コピー防止）有効性を低下または「無効」にさせる。バックポーチにおけるより早いスキャンまたはより早いサンプルは、１つ以上のＡＧＣ信号（ＡＧＣパルスおよび／または擬似同期／ＡＧＣパルス）によって提供される減衰の結果であり、これは同期分離器が水平同期パルスの前のビデオ信号の１つ以上の低下された部分（例えば、低下されたアクティブビデオ部分および／またはフロントポーチの低下された部分）を感知することをもたらす。水平同期パルスの前のビデオ信号の低下された部分のこの感知は、より早いカラーバーストサンプルがＶＣＲおよび／またはＴＶセットに提供されることをもたらし、これは、例えば、バックポーチ期間の後方または中間部分に追加された不正確な信号の検出を回避する。例えば、検出、改善された再生性能および／または弱められたまたは低下したコピー防止効果の目的のために、不正確な位相および／または周波数の修正されたカラーバーストがＵＳ特許第６，５１６，１３２号における図５Ｃに図示され、ここでは、バースト包絡線の後方部分が修正されたカラーサブキャリア位相および／または周波数を有する。修正されたバースト包絡線を有する実質的な正常な位相のサイクルを追加または挿入することは、再生性能および／またはＶＣＲへの有効性を低下させることに役立つことに留意されたい。したがって、弱められた信号は正常な位相サブキャリアの余分なサイクルを含み得る。弱められたカラーストライプ信号は、カラーストライプ波形において減衰したサイクルのギャップ有するか、または全くサイクルを含まないことに留意されたい。例えば、（所定の位相、周波数、持続時間および／または位置の）Ｍサイクルのバーストの後には、特定の持続時間（有限またはゼロの持続時間を含む）のギャップが続き、さらに（所定の位相、周波数、持続時間および／または位置の）Ｎサイクルが続いてもよい。ＮはＭと同等であっても、同等でなくてもよい。さらに、（例えば、検出のための）弱められたカラーストライプ信号は縮まった、通常または拡大されたカラーバーストの持続時間を有してもよいことに留意されたい。一部の場合においては、ディスプレイ（および／またはビデオリコーダ）にあまり影響を与えない異なった周波数（例えば、特定のＴＶ規格のための非正常なサブキャリア信号）が非正常な位相の信号（例えば、１つ以上の帰線消去期間に提供または生成される非正常な周波数のＰサイクル（１つまたは複数））として用いられてもよい。
【０１３２】
弱められたまたは「無効になった」コピー防止効果を有する検出目的のための修正されたカラーバーストの別の例では、ＵＳ特許第６，５１６，１３２号の図３Ｂ〜図７またはＵＳ特許第７，０３９，２９４号の図２Ｂ〜図２Ｆのあらゆる変形が用いられてもよい。
【０１３３】
別の例では、ＶＣＲおよび／またはＴＶセットによって、（再生性能を改善し、および／または有効性を低下または「無効」にするために）不正確な位相または周波数のサイクルをバースト包絡線の中間および／または始まりの部分あるいはバックポーチの部分に配置することが好ましい場合がある。例えば、ＵＳ特許第７，０３９，２９４号の図２Ｂ，図２Ｄおよび／または図２Ｆを参照されたい。検出を可能にする一方、再生性能を改善し、またはＶＣＲへの有効性を低下させるために実質的に正常な位相のサイクルを選択された水平帰線消去期間（１つまたは複数）（修正された位相または周波数の１つ以上のサイクルを含む１つ以上の水平帰線消去期間を含む）に追加することが好ましくもある。
【０１３４】
一部の例では、不正確な周波数波形が実質的な正常なカラーバースト信号の上に（部分的または部分的に）追加されてもよい。この不正確な周波数波形は、好ましくは、ＶＣＲに対してあまり影響を与えないかまたは全く影響を与えないが、準拠デバイスまたはコンテンツ制御システムによって検出可能であってもよい。
【０１３５】
図２Ｄを参照すると、不正確な位相および／または周波数の弱められたカラーストライプ信号の追加または挿入の一例は、この（不正確な）信号をセクタＪおよび／またはＫに配置し、セクタＧ、ＨおよびＩを正常な位相バーストで埋める。他の組み合わせも可能である。任意的に、セクタＡ、Ｂ、Ｃ、Ｇ、Ｈ、Ｉ、Ｊおよび／またはＫのレベルを低下されてもよい（例えば、−５％〜―１５％の白レベルまたは−５ＩＲＥ〜−１５ＩＲＥ）。再度、他の数またはセクタも使用可能である。セクタＤ、ＥおよびＦで示された水平同期パルスの位置、パルス幅および／または振幅は変更されてもよいことに留意されたい。さらに、図２Ｄで示されるセクタはＡ〜Ｋに相当するが、セクタ１〜Ｎ（一部の場合、Ｎはピクセル持続時間の何らかの係数または倍数を表し得る）であってもよい。ビデオ信号の低下された部分の例は、ＵＳ特許第７，０５０，６９８号の図２Ａ（例えば、ＭＦＰ１８、修正されたフロントポーチ）、図３Ａおよび／または図３Ｂ（例えば、ＭＦＰ３２、ＭＦＰ４４）、および／またはＵＳ特許第５，５８３，９３６号（および／またはその継続出願または分割出願）から導き出すことができる。特許’９３６号の明細書および／または特許請求の範囲は、早期のリトレースを引き起こすためにビデオ信号の一部に波形を追加し（例えば、波形は低下効果をもたらすために追加または挿入される負方向波形である）、またはバックポーチ領域の一部を低下させる方法および装置を含む。負方向波形はアクティブビデオライン、フィールドまたはオーバースキャンエリアの一部に追加されてもよいことに留意されたい。あらゆるタイプの弱められたコピー防止信号（例えば、あらゆるバージョンの弱められたカラーストライプ信号、弱められたバージョンのＡＧＣおよび／または擬似同期信号）または信号修正が、１つ以上のモード、ＡＰＳ、ＥＣＭ、ＥＭＭ、構成、制御および／またはテストビット（１つまたは複数）を介して提供されてもよい。
【０１３６】
あらゆる修正された波形（１つまたは複数）、コピー防止信号（１つまたは複数）、弱められたコピー防止信号（１つまたは複数）および／または検出可能信号を提供することに関して、システムオペレータまたはメディアプレーヤーのような他のデバイス（例えば、デジタルビデオプレーヤー、例えば、ＤＶＤ、ハードドライブプレーヤー、固体メモリプレーヤー、携帯電話、無線デバイスなど）は、デバイスへのビットが１つ以上のこれらのタイプの信号を、例えば、セットトップボックスまたは他のデバイスに送達または提供することを可能にすることができる。
【０１３７】
要約すると、本発明の様々な実施形態は以下のものを含む。
【０１３８】
１）ビデオ信号を読取、感知または検出する方法および装置であって、ビデオ信号は狭められた同期パルスを１つ以上の水平帰線消去期間に含み、１つ以上の狭められた水平同期パルスは感知、読取または検出され、かつ次の信号（例えば、コンテンツ制御命令）は１つ以上の狭められた水平同期パルスが存在し、あるいは読取、感知または検出されたことを示すために提供される。
【０１３９】
２）ビデオ信号内の自動利得制御（ＡＧＣ）パルスを読取、感知または検出する方法および装置であって、ビデオ信号は別の組のＡＧＣパルスより狭い１つの組のＡＧＣパルスを有し、狭められたＡＧＣパルスの存在を示すために出力が提供される。
【０１４０】
３）水平帰線消去期間（ＨＢＩ）における２つ以上の負方向パルスを読取、感知または検出する方法および装置であって、２つ以上の負方向パルスは同期分離器によって感知され、２つ以上の負方向パルスの存在を示すために信号が提供される。
【０１４１】
４）垂直同期信号期間中に多重パルスを読取、感知または検出する方法および装置であって、多重パルスは感知、読取または検出され、垂直同期信号における期間または垂直同期信号期間内の多重パルスの存在を示す信号が提供される。
【０１４２】
５）同期分離器を利用して垂直同期信号期間における擬似同期パルスを読取、感知または検出する方法および装置であって、垂直同期パルス期間内の多重パルスを検出すること、および垂直同期信号期間における擬似同期パルスの存在を示す信号を出力することをさらに含む。
【０１４３】
６）ビデオ信号に対する修正の存在を読取、感知または検出する方法および装置であって、かかる修正は、狭められた同期パルス、低下されたバックポーチエリア、低下されたフロントポーチエリア、持続時間における拡張のカラーバースト、持続時間が狭められたカラーバースト、狭められた同期パルスの後の狭められた正方向パルスを含む。修正の存在を感知した際、修正されたビデオ信号の存在を示す信号（例えば、コンテンツ制御命令）が提供される。
【０１４４】
７）方法および装置がコンテンツ制御システムの一部である、先行する実施形態１〜６の方法および装置。
【０１４５】
８）ビデオ信号の修正のプログラム可能または構成可能検出器であって、かかる構成可能検出器は、ビデオ信号に対する１つ以上の修正の存在を示す信号を出力するように構成可能／プログラム可能検出器をプログラムするために１つ以上のビットを受信する。
【０１４６】
９）１つ以上のビットが受信および／または格納される、実施形態８のプログラム可能または構成可能検出器。
【０１４７】
１０）プログラム可能または構成可能検出器の感知特性を決定するためにダウンロード可能ファイル、送信されたファイルまたは格納されたファイルが提供される、実施形態８のプログラム可能または構成可能検出器。
【０１４８】
１１）ビデオ信号の１つ以上の修正は以下の：擬似同期パルス、バックポーチ期間の一部の低下または上昇されたレベル、同期パルスの一部の低下または上昇されたレベル、狭められたまたは広げられた同期パルスまたはカラーバースト、水平帰線消去期間の一部における不正確なカラーサブキャリア周波数および／または位相信号、フロントポーチまたはエンド・オブ・ラインの一部における上昇または低下されたレベル、水平帰線消去期間または垂直帰線消去期間におけるＡＧＣパルス、同期振幅変動、同期レベル、水平および／または垂直同期信号の一部における追加された波形、および／またはアクティブＴＶラインの一部におけるレベルシフトのあらゆる組み合わせを含む、実施形態８のプログラム可能または構成可能検出器。
【０１４９】
１２）新たに修正されたビデオ信号を出力するために構成可能ビデオ修正回路を提供するために情報またはデータが送信または格納され、プログラム可能検出器は新たに修正されたビデオ信号を認識または感知するようにプログラム可能検出器を構成するために情報を受信する、実施形態８のプログラム可能または構成可能検出器。
【０１５０】
１３）検出器の入力に結合されている第１のタイプのコピー防止信号またはコンテンツ制御信号を感知する検出器を含む装置であって、異なるタイプまたは第２のタイプのコピー防止信号またはコンテンツ制御信号をその出力に挿入または追加する１つ以上の回路をさらに含む。
【０１５１】
１４）第１のタイプのコピー防止信号は１つのカンパニー(company)によって提供または設計され、第２のタイプのコピー防止信号は別のカンパニーによって提供または設計される、実施形態１３の装置。
【０１５２】
１５）コピー防止信号プロセスは１つ以上のカンパニーによって提供される、実施形態１３の装置。
【０１５３】
１６）第１のタイプのコピー防止またはコンテンツ制御信号は狭められた同期パルスを含み、第２のタイプのコピー防止またはコンテンツ制御信号は狭められた同期パルスを含まない、実施形態１３の装置。
【０１５４】
１７）第１のタイプのコピー防止またはコンテンツ制御信号は狭められた同期パルスを含まず、第２のタイプのコピー防止またはコンテンツ制御信号は狭められた同期パルスを含む、実施形態１３の装置。
【０１５５】
１８）２つ以上のコピー防止またはコンテンツ制御信号が感知および／または提供される、実施形態１３の装置。
【０１５６】
１９）コンテンツ制御システムまたは準拠デバイスによって検出可能である、弱められた、わずかなまたはゼロのコピー防止有効性信号を提供することを含む装置。
【０１５７】
２０）コピー防止信号の有効性と比較して再生性能は改善されている、実施形態１９の提供された信号。
【０１５８】
２１）不正確な位相または周波数の１つ以上のサイクルは選択されたＴＶラインの選択された帰線消去期間に挿入または追加されている、実施形態１９の提供された信号。
【０１５９】
２２）選択されたＴＶラインは、再生性能問題を最小化し、および／またはＶＣＲに対するコピー防止有効性を低下させる、実施形態１９の提供された信号。
【０１６０】
本開示内容は、例示的であり限定をするものではない。さらなる変形が当業者にとって明白になり、添付の特許請求の範囲内に入ることが意図されるであろう。
【図１】
2010526483.tif 000003
【図２Ａ】
2010526483.tif 000004
【図２Ｂ】
2010526483.tif 000005
【図２Ｃ】
2010526483.tif 000006
【図２Ｄ】
2010526483.tif 000007
【図２Ｅ】
2010526483.tif 000008
【図３】
2010526483.tif 000009
【図４Ａ】
2010526483.tif 000010
【図４Ｂ】
2010526483.tif 000011
【図４Ｃ】
2010526483.tif 000012
【図５】
2010526483.tif 000013
【図６Ａ】
2010526483.tif 000014
【図６Ｂ】
2010526483.tif 000015
【図６Ｃ】
2010526483.tif 000016
【国際調査報告】
2010526483.tif 000017
2010526483.tif 000018